(57)【特許請求の範囲】
【請求項１】
画像データを入力する入力手段と、
画像データを記録媒体に記録する記録手段と、
上記画像データに関するメタデータを生成するメタデータ生成手段と、
上記メタデータ生成手段において生成されたメタデータを画像データに関連付けて上記記録媒体に記録するメタデータ記録手段とを有し、
上記メタデータ生成手段は、上記複数のメタデータそれぞれに対して定められた所定の変更周期に基づいて該複数のメタデータそれぞれを再生成する画像処理装置。
【請求項２】
上記メタデータ記録手段は、上記変更周期に基づいて、上記再生成されたメタデータを対応する画像データに関連させて記憶する請求項１記載の画像処理装置。
【請求項３】
上記メタデータ生成手段は、上記画像データに関する、それぞれ異なる複数の変更周期を有する複数のメタデータを生成し、
上記メタデータ生成手段は、上記複数の変更周期に基づいて、それぞれのメタデータを再生成する請求項１記載の画像処理装置。
【請求項４】
上記それぞれのメタデータの変更周期を表す情報が、該メタデータと対応付けて記録される請求項１記載の画像処理装置。
【請求項５】
上記所定の変更周期は、フレーム毎、テイク毎、ショット毎、記録媒体毎またはプロジェクト毎のいずれかの単位である請求項１記載の画像処理装置。
【請求項６】
上記画像データの撮影に関する複数の情報を受信し、メタデータとして上記メタデータ記録手段に送る受信手段をさらに有し、
上記メタデータに定められた変更周期に基づいてメタデータを受信する請求項１記載の画像処理装置。
【請求項７】
上記受信するメタデータはＧＰＳから得られた位置情報であり、上記変更周期は所定間隔の周期であり、該所定間隔で位置情報を自動的に取得する請求項６記載の画像処理装置。
【請求項８】
上記メタデータ記録手段は、上記変更周期より細かい単位である記録単位毎にメタデータを記録し、所定のメタデータが変更されるまでの間、同じメタデータを所定の画像データに対応付けて記録する請求項１記載の画像処理装置。
【請求項９】
上記記録単位は、画像のフレーム毎、またはＧＯＰ毎である請求項８記載の画像処理装置。
【請求項１０】
画像データを入力する入力工程と、
画像データを記録媒体に記録する記録工程と、
上記画像データに関するメタデータを生成するメタデータ生成工程と、
上記メタデータ生成工程において生成されたメタデータを画像データに関連付けて上記記録媒体に記録するメタデータ記録工程とを有し、
上記メタデータ生成工程では、上記複数のメタデータそれぞれに対して定められた所定の変更周期に基づいて該複数のメタデータそれぞれを再生成する画像処理方法。
【発明の詳細な説明】
技術分野
本発明は、画像データとともに画像データを識別する識別情報を記録媒体に記録する画像処理装置及び画像処理方法、並びに画像処理システム、データ送信装置及びデータ受信装置、並びにデータ送受信システム、並びに記録媒体に関し、さらに詳しくは、画像データの撮影時の撮影情報及び編集時の編集情報を画像データとともに記録する画像処理装置及び画像処理方法、並びに画像データの撮影時の撮影情報を他の装置へ送信し画像データとともに記録する画像処理装置及び画像処理方法、並びに他の装置から画像データと撮影情報とを受信し編集点の位置情報を他の装置へ送信する画像処理システム、並びに他の装置から撮影情報を受信するデータ受信装置及び他の装置へ識別情報を送信するデータ送信装置、これらのデータ送信装置とデータ受信装置とから構成されるデータ送受信システム、並びに画像データの撮影時の撮影情報及び編集時の編集情報を画像データとともに記録する処理のプログラムが記録された記録媒体に関する。
背景技術
撮像装置が画像データを記録する際、記録する画像データとともに、編集点に対応する情報を付加情報として記録媒体に記録する技術が普及しつつある。編集者は、付加情報を参照することによって所望とする編集点を検索することができる。
従来、付加情報は、撮影前に撮影者が撮像装置に設けられた入力装置を操作することにより入力されていた。この場合、撮像装置は、入力された付加情報と画像データとを記録媒体に記録している。
また、ビデオテープ等の記録媒体に記録された映像情報を編集する方法の１つとしてオフライン編集がある。オフライン編集は、撮影現場において、オリジナルテープに記録した映像情報を一旦別の記録テープ（編集用テープ）にコピーし、編集用テープ上で編集点灯の編集データを作成し、編集データに基づいてマスターテープを作成する方法である。オフライン編集では編集用テープに記録するため、オリジナルテープに記録された元の映像情報を誤って消去したり、書き換えたりするおそれがなく、所望のマスターテープを作成することができる。
ところが、オフライン編集では、オリジナルテープをコピーした編集用テープを使用して編集作業を行うため、オリジナルテープ上に記録された情報を編集用テープにコピーする際に時間や手間がかかるといった問題があった。そこで、上述のような問題を解決する方法の１つとして、オリジナルテープ上の情報をハードディスク等の記録可能で且つランダムアクセス可能なディスク状記録媒体に一旦複製し、ディスク状記録媒体上のコピー情報を用いて編集データを作製する方法がある。この方法によれば、編集点にアクセスする時間が短縮されることから、編集作業に要する時間を短縮できる。しかしながら、従来の編集装置ではＣＧ等を画像データに合成する際、編集者が入力をする必要があるため、データベースが膨大になるほど編集者にとって煩わしい作業となっていた。また、画像データとともに、例えば、地図等の他の情報を映像に合成して表示する場合には、画像データに合成する地図等の他の情報をデータベースから検索して抽出する必要があった。
一方、複数のネットワークを互いにパケット通信で結ぶことによって仮想的なネットワークを構成した、いわゆるインターネットのようなネットワークを利用した通信の普及とともに、インターネット等のネットワーク回線を使用して映像データや音声データ等の様々なコンテンツデータの配信が可能になっている。これにともなって、番組を制作して放送する放送局等は、断片化された映像データ及び音声データに対しても個々の詳細な情報を管理する必要がでてきた。具体的には、放送局等で番組として制作された放送用素材を識別するための情報、コンテンツの著作権等に関する情報等の種々の付加情報がコンテンツとともに配信されることが必要になっている。
発明の開示
本発明の目的は、画像処理装置を使用する使用者にとって識別情報を入力する負担が軽減される画像処理装置及び画像処理方法、並びに画像処理システム、識別情報を送信するためのデータ送信装置及び識別情報を受信するためのデータ受信装置、並びに識別情報を送受信するデータ送受信システム、並びに画像データの識別情報を画像データとともに記録する処理のプログラムが記録された記録媒体を提供することである。
このような目的を達成するために提案される本発明は、画像データを入力する入力部と、他の装置から送信されてくる撮影に関する撮影情報を受信する受信部と、受信部により受信された撮影情報と入力部により入力された画像データとを記録媒体に記録する記録部と、記録部により記録された画像データの編集点の記録媒体上の記録位置を検出する検出部と、検出部により検出された記録位置の情報を他の装置に送信する送信部とを備える。
また、本発明は、画像データを入力する入力工程と、他の装置から送信されてくる撮影に関する撮影情報を受信する受信工程と、受信工程において受信された撮影情報と入力工程において入力された画像データとを記録媒体に記録する記録工程と、記録工程において記録された画像データの編集点の記録媒体上の記録位置を検出する検出工程と、検出工程において検出された記録位置の情報を他の装置に送信する送信工程とを含む。
さらに、本発明は、画像データを記録媒体に記録する画像処理装置を制御するプログラムが記録された記録媒体であって、画像データの入力を制御する入力制御工程と、他の装置から送信されてくる撮影に関する撮影情報の取り込みを制御する取り込み制御工程と、取り込み制御工程において取り込みが制御された撮影情報と入力制御工程において入力された画像データとの記録媒体への記録を制御する記録制御工程と、記録制御工程において記録された画像データの編集点の記録媒体上の記録位置の検出を制御する検出制御工程と、検出制御工程において検出された記録位置の情報の他の装置への送信を制御する送信制御工程とを含む処理をコンピュータに実行させるプログラムが記録されている。
さらにまた、本発明は、他の装置による撮影に関する撮影情報を入力する入力部と、入力部により入力された撮影情報を他の装置に対応付けて記憶する記憶部と、記憶部に記憶された撮影情報を他の装置に送信する送信部と、他の装置から送信され記録媒体に記録された画像データの編集点の記録媒体上の位置情報を受信する受信部と、記憶部に記憶された撮影情報に対して受信部において受信した位置情報を付加する付加部とを備える。
さらにまた、本発明は、他の装置による撮影に関する撮影情報を入力する入力工程と、入力工程において入力された撮影情報を他の装置に対応付けて記憶する記憶工程と、記憶工程において記憶された撮影情報を他の装置に送信する送信工程と、他の装置から送信され記録媒体に記録された画像データの編集点の記録媒体上の位置情報を受信する受信工程と、記憶工程において記憶された撮影情報に受信工程において受信した位置情報を付加する付加工程とを含む。
さらにまた、本発明は、他の画像処理装置が記録媒体に記録した画像データを管理する画像処理装置を制御するプログラムが記録された記録媒体であって、他の装置による撮影に関する撮影情報の入力を制御する入力制御工程と、入力制御工程において入力された撮影情報を他の装置に対応付けて記憶することを制御する記憶制御工程と、記憶制御工程において記憶された撮影情報を他の装置へ送信することを制御する送信制御工程と、他の装置から送信されてきた記録媒体に記録された画像データの編集点の記録媒体上の位置情報の取り込みを制御する取り込み制御工程と、記憶制御工程において記憶された撮影情報に取り込み制御工程において取り込まれた位置情報の付加を制御する付加制御工程とを含む処理をコンピュータに実行させるプログラムが記録されている。
さらにまた、本発明は、画像データを記録媒体に記録する第１の画像処理装置と、第１の画像処理装置が記録媒体に記録した画像データを管理する第２の画像処理装置とを備える画像処理システムにおいて、第１の画像処理装置は、画像データを入力する第１の入力部と、第２の画像処理装置から送信されてくる撮影に関する撮影情報を受信する第１の受信部と、第１の受信部により受信された撮影情報と第１の入力部により入力された画像データとを記録媒体に記録する記録部と、記録部により記録された画像データの編集点の記録媒体上の記録位置を検出する検出部と、検出部により検出された記録位置の情報を第２の画像処理装置に送信する第１の送信部とを備え、第２の画像処理装置は、第１の画像処理装置による撮影に関する撮影情報を入力する第２の入力部と、第２の入力部により入力された撮影情報を第１の画像処理装置に対応付けて記憶する記憶部と、記憶部に記憶された撮影情報を第１の画像処理装置に送信する第２の送信部と、第１の画像処理装置から送信されてきた記録媒体に記録された画像データの編集点の記録媒体上の位置情報を受信する第２の受信部と、記憶部に記憶された撮影情報に第２の受信部において受信して位置情報を付加する付加部とを備える。
さらにまた、本発明は、第１の画像処理装置の画像処理方法は、画像データを入力する第１の入力工程と、第２の画像処理装置から送信されてくる撮影に関する撮影情報を受信する第１の受信工程と、第１の受信工程において受信された撮影情報と第１の入力工程において入力された画像データとを記録媒体に記録する記録工程と、記録工程において記録された画像データの編集点の記録媒体上の記録位置を検出する検出工程と、検出工程において検出された記録位置の情報を第２の画像処置装置に送信する第１の送信工程とを含み、第２の画像処理装置の画像処理方法は、第１の画像処理装置による撮影に関する撮影情報を入力する第２の入力工程と、第２の入力工程において入力された撮影情報を第１の画像処理装置に対応付けて記憶する記憶工程と、記憶工程において記憶された撮影情報を第１の画像処理装置に送信する第２の送信工程と、第１の画像処理装置から送信されてきた記録媒体に記録された画像データの編集点の記録媒体上の位置情報を受信する第２の受信工程と、記憶工程において記憶された撮影情報に第２の受信工程において受信した位置情報を付加する付加工程とを含む。
さらにまた、本発明は、画像データを記録媒体に記録する第１の画像処理装置と、第１の画像処理装置が記録媒体に記録した画像データを管理する第２の画像処理装置とを備える画像処理システムを制御するプログラムが記録された記録媒体であって、第１の画像処理装置を制御するプログラムは、画像データの入力を制御する第１の入力制御工程と、第２の画像処理装置から送信されてくる撮影に関する撮影情報の取り込みを制御する第１の取り込み制御工程と、第１の取り込み制御工程において取り込まれた撮影情報と第１の入力制御工程において入力された画像データとの記録媒体への記録を制御する記録制御工程と、記録制御工程において記録された画像データの編集点の記録媒体上の記録位置の検出を制御する検出制御工程と、検出制御工程において検出された記録位置の情報を第２の画像処理装置へ送信することを制御する第１の送信制御工程とを含み、第２の画像処理装置を制御するプログラムは、第１の画像処理装置による撮影に関する撮影情報の入力を制御する第２の入力制御工程と、第２の入力制御工程において入力された撮影情報を第１の画像処理装置に対応付けて記憶することを制御する記憶制御工程と、記憶制御工程において記憶された撮影情報を第１の画像処理装置へ送信することを制御する第２の送信制御工程と、第１の画像処理装置から送信されてきた記録媒体に記録された画像データの編集点の記録媒体上の位置情報の取り込みを制御する第２の取り込み制御工程と、記憶制御工程において記憶された撮影情報に第２の取り込み工程において取り込まれた位置情報を付加することを制御する付加制御工程とを含む処理をコンピュータに実行させるプログラムが記録されている。
さらにまた、本発明は、ニュース番組取材に関する取材場所の地名を示すギャザリング・ロケーション・プレイス（Ｇａｔｈｅｒｉｎｇ＿Ｌｏｃａｔｉｏｎ＿Ｐｌａｃｅ）、撮影者の名前を示すフォトグラファ（Ｐｈｏｔｏｇｒａｐｈｅｒ）、取材を担当する記者に関する情報を示すジャーナリスト・インフォメーション（Ｊｏｒｎａｌｉｓｔ  Ｉｎｆｏｒｍａｔｉｏｎ）、ニュース番組のディレクタを示すディレクタ（Ｄｉｒｅｃｔｏｒ）、撮影内容に関連する他の情報が記述されるコンテンツ（Ｃｏｎｔｅｎｔｓ）、撮影開始日時を示すギャザリング・スタート・デートタイム（Ｇａｔｈｅｒｉｎｇ＿Ｓｔａｒｔ＿ＤａｔｅＴｉｍｅ）、撮影終了時間を示すギャザリング・エンド・デートタイム（Ｇａｔｈｅｒｉｎｇ＿Ｅｎｄ＿ＤａｔｅＴｉｍｅ）、ニュース番組のプロデューサを示すプロデューサ（Ｐｒｏｄｕｃｅｒ）、ＮＣＳ（Ｎｅｗｓｒｏｏｍ  Ｃｏｍｐｕｔｅｒ  Ｓｙｓｔｅｍ）に登録されているニュース番組項目及び番組毎に設定された識別子としてのエヌ・シー・エス・アイディー（ＮＣＳ  ＩＤ）を表すメタデータのうち少なくとも１つを生成し入力する入力部と、取材先の移動体にメタデータを無線により送信する送信部とを備える。
さらにまた、本発明は、データ送信装置から送信されるニュース番組取材に関する取材場所の地名を示すギャザリング・ロケーション・プレイス（Ｇａｔｈｅｒｉｎｇ＿Ｌｏｃａｔｉｏｎ＿Ｐｌａｃｅ）、撮影者の名前を示すフォトグラファ（Ｐｈｏｔｏｇｒａｐｈｅｒ）、取材を担当する記者に関する情報を示すジャーナリスト・インフォメーション（Ｊｏｒｎａｌｉｓｔ  Ｉｎｆｏｒｍａｔｉｏｎ）、ニュース番組のディレクタを示すディレクタ（Ｄｉｒｅｃｔｏｒ）、撮影内容に関連する他の情報が記述されるコンテンツ（Ｃｏｎｔｅｎｔｓ）、撮影開始日時を示すギャザリング・スタート・デートタイム（Ｇａｔｈｅｒｉｎｇ＿Ｓｔａｒｔ＿ＤａｔｅＴｉｍｅ）、撮影終了時間を示すギャザリング・エンド・デートタイム（Ｇａｔｈｅｒｉｎｇ＿Ｅｎｄ＿ＤａｔｅＴｉｍｅ）、ニュース番組のプロデューサを示すプロデューサ（Ｐｒｏｄｕｃｅｒ）、ＮＣＳ（Ｎｅｗｓｒｏｏｍ  Ｃｏｍｐｕｔｅｒ  Ｓｙｓｔｅｍ）に登録されているニュース番組項目及び番組毎に設定された識別子としてのエヌ・シー・エス・アイディー（ＮＣＳ  ＩＤ）を表すメタデータのうち少なくとも１つを受信する受信部と、受信したメタデータを記憶する記憶部とを備える。
さらにまた、本発明は、ニュース番組取材に関する取材場所の地名を示すギャザリング・ロケーション・プレイス（Ｇａｔｈｅｒｉｎｇ＿Ｌｏｃａｔｉｏｎ＿Ｐｌａｃｅ）、撮影者の名前を示すフォトグラファ（Ｐｈｏｔｏｇｒａｐｈｅｒ）、取材を担当する記者に関する情報を示すジャーナリスト・インフォメーション（Ｊｏｒｎａｌｉｓｔ  Ｉｎｆｏｒｍａｔｉｏｎ）、ニュース番組のディレクタを示すディレクタ（Ｄｉｒｅｃｔｏｒ）、撮影内容に関連する他の情報が記述されるコンテンツ（Ｃｏｎｔｅｎｔｓ）、撮影開始日時を示すギャザリング・スタート・デートタイム（Ｇａｔｈｅｒｉｎｇ＿Ｓｔａｒｔ＿ＤａｔｅＴｉｍｅ）、撮影終了時間を示すギャザリング・エンド・デートタイム（Ｇａｔｈｅｒｉｎｇ＿Ｅｎｄ＿ＤａｔｅＴｉｍｅ）、ニュース番組のプロデューサを示すプロデューサ（Ｐｒｏｄｕｃｅｒ）、ＮＣＳ（Ｎｅｗｓｒｏｏｍ  Ｃｏｍｐｕｔｅｒ  Ｓｙｓｔｅｍ）に登録されているニュース番組項目及び番組毎に設定された識別子としてのエヌ・シー・エス・アイディー（ＮＣＳ  ＩＤ）を表すメタデータのうち少なくとも１つを生成し入力する入力部と、メタデータを無線により送信する送信部とを有するデータ送信装置と、データ送信装置から送信されるニュース番組取材に関するメタデータを受信する受信部と、受信したメタデータを記憶する記憶部とを有するデータ受信装置とを備える。
さらにまた、本発明は、外部から送信されたメタデータを記憶するメタデータ記憶部と、撮影場所の緯度を表すギャザリング・ロケーション・ラティテュード（Ｇａｔｈｅｒｉｎｇ＿Ｌｏｃａｔｉｏｎ＿Ｌａｔｉｔｕｄｅ）、撮影場所の経度を表すギャザリング・ロケーション・ロンジテュード（Ｇａｔｈｅｒｉｎｇ＿Ｌｏｃａｔｉｏｎ＿Ｌｏｎｇｉｔｕｄｅ）、撮影場所の高度を表すギャザリング・ロケーション・アルティテュード（Ｇａｔｈｅｒｉｎｇ＿Ｌｏｃａｔｉｏｎ＿Ａｌｔｉｔｕｄｅ）、撮影時の時間を表すギャザリング・ロケーション・タイム（Ｇａｔｈｅｒｉｎｇ＿Ｌｏｃａｔｉｏｎ＿Ｔｉｍｅ）、撮像装置を識別する機材ＩＤ、撮像装置の設定を示すカメラ・セットアップ・インフォメーション（Ｃａｍｅｒａ  Ｓｅｔｕｐ  Ｉｎｆｏｒｍａｔｉｏｎ）、記録媒体を識別するリール・ナンバ（Ｒｅｅｌ  Ｎｕｍｂｅｒ）、撮影に要した時間を示すデュレーション（Ｄｕｒａｔｉｏｎ）、各シーンの開始時間を表すスタート・オブ・マテリアル（Ｓｔａｒｔ  Ｏｆ  Ｍａｔｅｒｉａｌ）、取材題目を示すタイトル（Ｔｉｔｌｅ）、撮影の際、手動で入力されるマーク点を示すグッド・ショット・マーク（Ｇｏｏｄ  Ｓｈｏｔ  Ｍａｒｋ）、及びレコード・スタート・マーク（ＲＥＣ  Ｓｔａｒｔ  Ｍａｒｋ）、マイクチャンネルを示すオーディオチャンネル・インフォメーション（Ａｕｄｉｏ  Ｃｈａｎｎｅｌ  Ｉｎｆｏｒｍａｔｉｏｎ）、音声の記録がモノラルか、ステレオか、バイリンガルかを示すオーディオ・タイプ（Ａｕｄｉｏ  Ｔｙｐｅ）、素材を識別するために唯一的に決められたＩＤであるユーミッド・オーディオ（ＵＭＩＤ（Ａｕｄｉｏ））、及びユーミッド・ビデオ（ＵＭＩＤ（Ｖｉｄｅｏ））、素材データの著作権を表すコピーライト（Ｃｏｐｙｒｉｇｈｔ）を表すメタデータのうち少なくとも１つを生成するメタデータ生成部と、画像データを記録媒体に記録する記録部とを有し、メタデータ記憶部に記憶されたメタデータ及びメタデータ生成部において生成されたメタデータを画像データとともに記録媒体に記録する。
さらにまた、本発明は、外部から送信されたメタデータを記憶するメタデータ記憶工程と、撮影場所の緯度を表すギャザリング・ロケーション・ラティテュード（Ｇａｔｈｅｒｉｎｇ＿Ｌｏｃａｔｉｏｎ＿Ｌａｔｉｔｕｄｅ）、撮影場所の経度を表すギャザリング・ロケーション・ロンジテュード（Ｇａｔｈｅｒｉｎｇ＿Ｌｏｃａｔｉｏｎ＿Ｌｏｎｇｉｔｕｄｅ）、撮影場所の高度を表すギャザリング・ロケーション・アルティテュード（Ｇａｔｈｅｒｉｎｇ＿Ｌｏｃａｔｉｏｎ＿Ａｌｔｉｔｕｄｅ）、撮影時の時間を表すギャザリング・ロケーション・タイム（Ｇａｔｈｅｒｉｎｇ＿Ｌｏｃａｔｉｏｎ＿Ｔｉｍｅ）、撮像装置を識別する機材ＩＤ、撮像装置の設定を示すカメラ・セットアップ・インフォメーション（Ｃａｍｅｒａ  Ｓｅｔｕｐ  Ｉｎｆｏｒｍａｔｉｏｎ）、記録媒体を識別するリール・ナンバ（Ｒｅｅｌ  Ｎｕｍｂｅｒ）、撮影に要した時間を示すデュレーション（Ｄｕｒａｔｉｏｎ）、各シーンの開始時間を表すスタート・オブ・マテリアル（Ｓｔａｒｔ  Ｏｆ  Ｍａｔｅｒｉａｌ）、取材題目を示すタイトル（Ｔｉｔｌｅ）、撮影の際、手動で入力されるマーク点を示すグッド・ショット・マーク（Ｇｏｏｄ  Ｓｈｏｔ  Ｍａｒｋ）、及びレコード・スタート・マーク（ＲＥＣ  Ｓｔａｒｔ  Ｍａｒｋ）、マイクチャンネルを示すオーディオチャンネル・インフォメーション（Ａｕｄｉｏ  Ｃｈａｎｎｅｌ  Ｉｎｆｏｒｍａｔｉｏｎ）、音声の記録がモノラルか、ステレオか、バイリンガルかを示すオーディオ・タイプ（Ａｕｄｉｏ  Ｔｙｐｅ）、素材を識別するために唯一的に決められたＩＤであるユーミッド・オーディオ（ＵＭＩＤ（Ａｕｄｉｏ））、及びユーミッド・ビデオ（ＵＭＩＤ（Ｖｉｄｅｏ））、素材データの著作権を表すコピーライト（Ｃｏｐｙｒｉｇｈｔ）を表すメタデータのうち少なくとも１つを生成するメタデータ生成工程と、メタデータ記憶工程において記憶されたメタデータ及び上記メタデータ生成工程において生成されたメタデータと、画像データとを記録媒体に記録する記録工程と有する。
さらにまた、本発明は、画像データと、画像データの撮影時の位置情報に関わる撮影場所の緯度を表すギャザリング・ロケーション・ラティテュード（Ｇａｔｈｅｒｉｎｇ＿Ｌｏｃａｔｉｏｎ＿Ｌａｔｉｔｕｄｅ）、撮影場所の経度を表すギャザリング・ロケーション・ロンジテュード（Ｇａｔｈｅｒｉｎｇ＿Ｌｏｃａｔｉｏｎ＿Ｌｏｎｇｉｔｕｄｅ）、撮影場所の高度を表すギャザリング・ロケーション・アルティテュード（Ｇａｔｈｅｒｉｎｇ＿Ｌｏｃａｔｉｏｎ＿Ａｌｔｉｔｕｄｅ）を表すメタデータとを入力する入力工程と、記録装置に記録されている地図のなかから、位置情報に対応する地図を検索して抽出する検索工程と、位置情報に対応する地図を画像データの所定位置に合成して表示する合成工程とを備える。
さらにまた、本発明は、画像データと、画像データの撮影時の時間情報に関わる撮影時の時間を表すギャザリング・ロケーション・タイム（Ｇａｔｈｅｒｉｎｇ＿Ｌｏｃａｔｉｏｎ＿Ｔｉｍｅ）を表すメタデータとを入力する入力工程と、画像データに対応する時間情報を画像データの所定位置に合成して表示する合成工程とを備える。
さらにまた、本発明は、画像データと、画像データの撮影に関わる取材題目を示すタイトル（Ｔｉｔｌｅ）、記事原稿に関するスクリプト（Ｓｃｒｉｐｔ）を表すメタデータとを入力する入力工程と、メタデータを画像データの所定位置に合成して表示する合成工程とを備える。
さらにまた、本発明は、画像データと画像データに関する情報との合成画像を表示する表示部と、画像データと画像データの撮影時の位置情報に関わる撮影場所の緯度を表すギャザリング・ロケーション・ラティテュード（Ｇａｔｈｅｒｉｎｇ＿Ｌｏｃａｔｉｏｎ＿Ｌａｔｉｔｕｄｅ）、撮影場所の経度を表すギャザリング・ロケーション・ロンジテュード（Ｇａｔｈｅｒｉｎｇ＿Ｌｏｃａｔｉｏｎ＿Ｌｏｎｇｉｔｕｄｅ）、撮影場所の高度を表すギャザリング・ロケーション・アルティテュード（Ｇａｔｈｅｒｉｎｇ＿Ｌｏｃａｔｉｏｎ＿Ａｌｔｉｔｕｄｅ）、画像データの撮影に関わる取材題目を示すタイトル（Ｔｉｔｌｅ）、記事原稿に関するスクリプト（Ｓｃｒｉｐｔ）を表すメタデータとを入力する入力部と、位置情報を示すメタデータを記録する記録部と、画像データに対応するメタデータに基づいた情報を画像データの所定位置に合成して表示する合成部とを備える。
本発明のさらに他の目的、本発明によって得られる具体的な利点は、図面を参照して以下に示す説明から一層明らかにされるであろう。
発明を実施するための最良の形態
以下、本発明にかかる画像処理装置及び画像処理方法、並びに画像処理システム、データ送信装置及びデータ受信装置、並びにデータ送受信システム、並びに記録媒体を図面を参照にして具体的に説明する。
本発明にかかる画像処理システムは、画像データを記録媒体に記録する画像処理装置において、画像データを入力する入力部と、他の装置から送信されてくる撮影に関する撮影情報と画像データとを記録媒体に記録する記録部と、記録部により記録された画像データの編集点の記録媒体上の記録位置を検出する検出部と、検出部により検出された記録位置の情報を他の装置に送信する送信部とを備える画像処理装置を備えたものであり、例えば、放送局、映像制作会社等において、映像及び音声等（以下、素材と記す。）を編集・加工して放送用の映像を制作し、更にこの映像を保管する画像処理システムに適用できる。特に、本発明にかかる画像処理システムは、素材を取材する取材工程、取材した素材を編集する編集工程、編集して得られた番組を保管する保管工程等の各画像処理工程において、適宜、素材を識別するための情報が記録媒体或いは専用の記録サーバに記録されることで撮影者や編集者等の負担を軽減し、素材を利用する際に素材を容易に識別できるようにした画像処理システムである。
ここでは、本発明にかかる画像処理システムが放送局及び番組制作会社等において番組を制作する工程に適用された場合について説明する。放送局において番組を制作する段階には、撮影前段階１０、撮影制作段階２０、撮影後処理段階３０、放送段階４０、保管段階５０の各段階がある。本発明にかかる画像処理システムは、これらの各段階において、映像データ及び音声データを識別するための識別情報を記録媒体或いは専用の記録装置に随時付加して記録することにより、映像データ及び音声データ（素材データ）を利用する際、これら素材データを直ちに検索して編集等に活用できるという利点をできる。
なお、付加される識別情報としてはメタデータが挙げられる。メタデータとは、例えば取材時刻、取材ＩＤ、取材題目、撮影者名、レポータ名等の素材を識別するために必要な情報を記述するためのデータである。
例えば、放送局においてニュース番組を制作する場合を、図１を用いて説明する。ただし、図１は、ニュース番組を制作する際の作業の流れを説明するものであり、装置等の構成要素を示す、いわゆるブロック図とは異なる。
放送局におけるニュース番組制作は、図１に示すように、撮影前段階（Ｐｒｅ−Ｐｒｏｄｕｃｔｉｏｎ；プリプロダクション）１０、撮影制作段階（Ｐｒｏｄｕｃｔｉｏｎ；プロダクション）２０、撮影後処理段階（Ｐｏｓｔ−Ｐｒｏｄｕｃｔｉｏｎ；ポストプロダクション）３０、放送段階（Ｄｉｓｔｒｉｂｕｔｉｏｎ；ディストリビューション）４０、保管段階（Ａｒｃｈｉｖｅ；アーカイブ）５０の５つに分類できる。
撮影前段階１０は、プロデューサ、ディレクタ、アナウンサ、取材スタッフ等の関係者がニュース番組の放送内容等に関する打ち合わせを行う段階であり、この段階では、放送項目の決定、中継車、取材機材、取材クルーの割り振り等も行われる。図１においては、計画（Ｐｌａｎｎｉｎｇ；プラニング）工程１１として示される。
撮影制作段階２０は、主に映像及び音声の収集を行う段階であり、図１においては、取材（Ａｃｑｕｉｓｉｔｉｏｎ；アクイジション）工程２１、素材蓄積（Ｉｎｇｅｓｔ；インジェスト）工程２２及びボイスオーバ（Ｖｏｉｃｅ  Ｏｖｅｒ）工程２３がこの撮影制作段階２０に相当する。
取材工程２１は、映像及び音声の収集するための「取材」を示している。また、素材蓄積工程２２は、取材で得られた映像及び音声（以下、素材と記す。）が蓄積される工程である。素材蓄積工程２２は、例えば素材が記録されたビデオカセットテープ等を保管棚に保管すること或いは素材蓄積用サーバに素材のデータを記憶することに相当する。また、ボイスオーバ工程２３は、映像にナレーション等の音声が挿入される工程である。
撮影後処理段階３０は、収集した素材を編集し放送できる状態に仕上げる段階であり、図１では、ＣＧ（Ｃｏｍｐｕｔｅｒ  Ｇｒａｐｈｉｃｓ；コンピュータグラフィクス）作成工程３１及び本編集（Ｃｏｍｐｌｅｔｅ  Ｅｄｉｔ；コンプリートエディット）工程３２がこの撮影後処理段階３０に相当する。
ＣＧ作成工程３１は、コンピュータグラフィクスにより映像を作成すること及び映像に重ねて表示する地図、天気図、文字等を作成する工程である。また、本編集工程３２は、計画工程１１で決定された内容に基づいて素材の編集を行う工程である。
放送段階４０は、編集した素材をオンエア（放送）する段階であり、図１においては、クローズドキャプション（Ｃｌｏｓｅｄ  Ｃａｐｔｉｏｎ）工程４１、生中継（Ｌｉｖｅ；ライブ）４２、オートメーション（Ａｕｔｏｍａｔｉｏｎ）工程４３及び放送工程４４がこの放送段階４０に相当する。
クローズドキャプション工程４１は、文字放送用の文字を作成する作業工程を示している。また、生中継４２は、ニュース番組の放送中にリアルタイムの中継を放映する場合を示している。また、オートメーション工程４３は、コンピュータに制御されて、編集された素材、クローズドキャプション信号、及び生中継４２の映像データ等を混成して放送用のニュース番組を自動的に生成する作業を示す。また、放送工程４４では、オートメーション工程４３で生成した放送用のニュース番組が送信される。
保管段階５０は、映像データ及び音声データの保管を行う段階であり、図１においては、仮保管工程（Ｎｅａｒ  Ｌｉｎｅ  Ａｒｃｈｉｖｅ；ニアラインアーカイブ）５１及び保管工程（Ａｒｃｈｉｖｅ；アーカイブ）５２がこの保管段階５０に相当する。
仮保管工程５１は、編集された素材のなかで、近日中に再度使用される可能性があるものを仮に保管する工程を示し、保管工程５２は、素材を長期保管することを示している。
図１に示すＮＣＳ６０は、Ｎｅｗｓｒｏｏｍ  Ｃｏｍｐｕｔｅｒ  Ｓｙｓｔｅｍ（ニュースルームコンピュータシステム）であり、ニュースルーム全体の情報を統括管理するシステムである。ＮＣＳ６０では、オンエア項目の管理、及び個々の素材がどの段階の処理を受けているか等の素材管理が行われているほか、他の放送局等との間における素材の売買等も管理されている。また、ＮＣＳ６０では、記者が当該ＮＣＳ６０に接続された端末から記事を作成することもある。
次に、ニュース番組を制作する場合、上述した各段階で入力されるメタデータの例を示す。メタデータのデータ構造等についての詳細は、後述する。
まず、計画工程１１において、放送項目の決定、中継車、取材機材、取材クルーの割り振り等が行われる。計画工程１１では、ニュース番組の放送内容が検討され、検討された内容に基づいたメタデータが入力される。このメタデータの例を図２に示す。計画工程１１で決定されるメタデータの例としては、撮影開始時間を表すＧａｔｈｅｒｉｎｇ＿Ｓｔａｒｔ＿ＤａｔｅＴｉｍｅと、撮影終了時間を表すＧａｔｈｅｒｉｎｇ＿Ｅｎｄ＿ＤａｔｅＴｉｍｅと、撮影地名を表すＧａｔｈｅｒｉｎｇ＿Ｌｏｃａｔｉｏｎ＿Ｐｌａｃｅと、撮影者名を表すＰｈｏｔｏｇｒａｐｈｅｒと、記者に関する情報を表すＪｏｒｎａｌｉｓｔ  Ｉｎｆｏｒｍａｔｉｏｎと、ニュース番組のディレクタを表すＤｉｒｅｃｔｏｒと、ニュース番組のプロデューサを表すＰｒｏｄｕｃｅｒと、ニュース取材題目を表すＴｉｔｌｅと、撮影内容に関連する他の情報が入力されるＣｏｎｔｅｎｔｓと、ＮＣＳ（Ｎｅｗｓｒｏｏｍ  Ｃｏｍｐｕｔｅｒ  Ｓｙｓｔｅｍ）に登録されているニュース番組及び放送項目毎に設定されたＩＤ（Ｉｄｅｎｔｉｆｉｅｒ：識別子）としてのＮＣＳ  ＩＤ等がある。
計画工程１１において、以上に例示したメタデータがＮＣＳ６０に備えられるメモリ等に書き込まれる。なお、計画工程１１で記述されたメタデータは、後述する段階で変更されて適宜書き換えられる。
計画工程１１から取材工程２１に移行する過程で、取材工程２１の段階で取材を行う機器、すなわち撮像装置等に対してメタデータが伝送される。ここで伝送されるメタデータの例を図３に示す。計画工程１１から取材工程２１に移行する過程とは、例えば中継車が取材場所に向かって移動する期間等と考えることができる。
この過程で、計画工程１１において検討されたニュース番組の内容に基づいて、図２に示したＧａｔｈｅｒｉｎｇ＿Ｓｔａｒｔ＿ＤａｔｅＴｉｍｅ、Ｇａｔｈｅｒｉｎｇ＿Ｅｎｄ＿ＤａｔｅＴｉｍｅ、Ｇａｔｈｅｒｉｎｇ＿Ｌｏｃａｔｉｏｎ＿Ｐｌａｃｅ、Ｐｈｏｔｏｇｒａｐｈｅｒ、Ｊｏｒｎａｌｉｓｔ  Ｉｎｆｏｒｍａｔｉｏｎ、Ｄｉｒｅｃｔｏｒ、Ｐｒｏｄｕｃｅｒ、Ｔｉｔｌｅ、Ｃｏｎｔｅｎｔｓ、及びＮＣＳ  ＩＤを表すメタデータが放送局から取材場所に移動する撮像装置に送信される。
取材工程２１では取材が行われる。取材工程２１において使用する素材データを記録するための撮像装置は、無線通信により受信したメタデータを当該撮像装置が備えるメモリに記憶している。撮像装置は、映像を撮影する際に、上述のメタデータをメモリから読み出して映像データ及び音声データとともに記録媒体に記録する。このとき撮像装置は、放送局より送信されたメタデータの他に、新たなメタデータを自動的に発生し上述のメタデータとともに入力する。新たに入力されるメタデータの例を図４Ａに示す。
取材工程２１において新たに入力されるメタデータとしては、図３に示したメタデータに加えて、ＧＰＳ（Ｇｌｏｂａｌ  Ｐｏｓｉｔｉｏｎｉｎｇ  Ｓｙｓｔｅｍ）で検出される位置情報を示すＧａｔｈｅｒｉｎｇ＿Ｌｏｃａｔｉｏｎ＿Ｌａｔｉｔｕｄｅ（ＧＰＳ緯度）・Ｇａｔｈｅｒｉｎｇ＿Ｌｏｃａｔｉｏｎ＿Ｌｏｎｇｉｔｕｄｅ（ＧＰＳ経度）・Ｇａｔｈｅｒｉｎｇ＿Ｌｏｃａｔｉｏｎ＿Ａｌｔｉｔｕｄｅ（ＧＰＳ高度）と、ＧＰＳで検出される時間を示すＧａｔｈｅｒｉｎｇ＿Ｌｏｃａｔｉｏｎ＿Ｔｉｍｅ（ＧＰＳ  Ｔｉｍｅ）と、取材場所の地名を表すＧａｔｈｅｒｉｎｇ＿Ｌｏｃａｔｉｏｎ＿Ｐｌａｃｅ（地名）と、撮像装置毎のＩＤである機材ＩＤと、レンズ情報等を示すＣａｍｅｒａ  Ｓｅｔｕｐ  Ｉｎｆｏｒｍａｔｉｏｎと、記録媒体を識別するＲｅｅｌ  Ｎｕｍｂｅｒと、撮影に要した時間を示すＤｕｒａｔｉｏｎ（Ｔｉｍｅ）と、各シーンの開始時間を示すＳＯＭ（Ｓｔａｒｔ  Ｏｆ  Ｍａｔｅｒｉａｌ）と、手動で入力されるマーク点に関するＧｏｏｄ  Ｓｈｏｔ  Ｍａｒｋ  ＆  ＲＥＣ  Ｓｔａｒｔ  Ｍａｒｋと、マイクの割り当てを示すＡｕｄｉｏ  Ｃｈａｎｎｅｌ  Ｉｎｆｏｒｍａｔｉｏｎと、音声の記録方法を示すＡｕｄｉｏ  Ｔｙｐｅと、素材を識別するためのＵＭＩＤ（Ａｕｄｉｏ）及びＵＭＩＤ（Ｖｉｄｅｏ）と、著作権を表すＣｏｐｙｒｉｇｈｔ等がある。
以上のメタデータが記録媒体及び専用の記録サーバに対して入力される。取材工程２１の段階で生成及び変更された上述のメタデータは、ＮＣＳ６０に送信されて使用されることもある。
取材工程２１において収集された素材は、素材蓄積工程２２の段階を経ることによって、使用の機会があるまで素材記録サーバに蓄積される。図４Ｂに素材蓄積工程２２において記録媒体に入力されるメタデータの例を示す。
素材蓄積工程２２では、図４Ａに例示したメタデータに加えて、素材データの供給元を表すＳｏｕｒｃｅと、素材データの開始時間を表すＳＴＣ（Ｓｔａｒｔ  Ｏｆ  Ｃｏｎｔｅｎｔｓ）と、データストリームの形式を示すＦｏｒｍａｔと、映像の圧縮率を示すＶｉｄｅｏ  Ｂｉｔ  Ｒａｔｅと、映像データがＭＰＥＧ圧縮されている場合のピクチャグループを示すＧＯＰ（Ｇｒｏｕｐ  Ｏｆ  Ｐｉｃｔｕｒｅｓ）Ｓｉｚｅと、解像度を表すＲｅｓｏｌｕｔｉｏｎと、音声データのチャンネル数を表すＡｕｄｉｏ  Ｃｈａｎｎｅｌ数と、音声データが圧縮されているか否かを表すＡｕｄｉｏ  Ｃｏｍｐｒｅｓｓｉｏｎと、オーディオサンプリング周波数を表すＡｕｄｉｏ  Ｓａｍｐｌｉｎｇ  Ｒａｔｅと、音声データのサイズを表すＡｕｄｉｏ  Ｄａｔｅ  Ｓｉｚｅと、収録方法を示すＲＥＣ＿Ｔｙｐｅと、既存の画像処理システムにおいて使用されている素材を識別するための識別子としてのＭａｔｅｒｉａｌ＿ＩＤと、編集した際に内容を変更したか否かを表すＳｕｂ  Ｋｅｙと、素材データに関する情報を記述するＵＭＩＤ（Ｄａｔａ）と、ＵＭＩＤ（Ａｕｄｉｏ）とＵＭＩＤ（Ｖｉｄｅｏ）とを纏めたＩＤを表すＵＭＩＤ（Ｓｙｓｔｅｍ）と、素材の長さを時間で表すＦｉｌｅ  Ｌｅｎｇｔｈと、ファイル全体のサイズを表すＥｓｓｅｎｃｅ＿Ｓｉｚｅと、映像データが静止画であるか否か又は音声データか映像データかを示したＯｂｊｅｃｔ  Ｔｙｐｅと、素材の有効期限を示すＶａｌｉｄ  Ｄａｔｅ等が入力される。
図４Ａ及びＢに示したメタデータは、記録媒体に画像データ及び音声データとともに記録されるほか、画像データ及び音声データから切り離され、ＮＣＳ６０等で管理されることもある。
以上説明した計画工程１１、取材工程２１及び素材蓄積工程２２のそれぞれの段階で生成されて記録されたメタデータ及び素材データは、記者によって粗編集及び記事作成が行われる際にも使用される。
図５Ｂに、記者によって粗編集及び記事作成等が行われる際に使用及び入力されるメタデータを例示する。図５Ａは、主に撮像装置において入力されるメタデータを示し、図５Ｂは、主に素材蓄積工程２２で入力されるメタデータを示している。これらに加え、更に新たなメタデータが入力される。
図５Ａ及び図５Ｂに示すＧａｔｈｅｒｉｎｇ＿Ｓｔａｒｔ＿ＤａｔｅＴｉｍｅ、Ｇａｔｈｅｒｉｎｇ＿Ｅｎｄ＿ＤａｔｅＴｉｍｅ、Ｇａｔｈｅｒｉｎｇ＿Ｌｏｃａｔｉｏｎ＿Ｐｌａｃｅ、Ｐｈｏｔｏｇｒａｐｈｅｒ、Ｊｏｒｎａｌｉｓｔ  Ｉｎｆｏｒｍａｔｉｏｎ、Ｄｉｒｅｃｔｏｒ、Ｐｒｏｄｕｃｅｒ、Ｔｉｔｌｅ、Ｃｏｎｔｅｎｔｓ、ＮＣＳ  ＩＤ、Ｇａｔｈｅｒｉｎｇ＿Ｌｏｃａｔｉｏｎ＿Ｌａｔｉｔｕｄｅ（ＧＰＳ緯度）、Ｇａｔｈｅｒｉｎｇ＿Ｌｏｃａｔｉｏｎ＿Ｌｏｎｇｉｔｕｄｅ（ＧＰＳ経度）、Ｇａｔｈｅｒｉｎｇ＿Ｌｏｃａｔｉｏｎ＿Ａｌｔｉｔｕｄｅ（ＧＰＳ高度）、Ｇａｔｈｅｒｉｎｇ＿Ｌｏｃａｔｉｏｎ＿Ｔｉｍｅ（ＧＰＳ  Ｔｉｍｅ）、Ｇａｔｈｅｒｉｎｇ＿Ｌｏｃａｔｉｏｎ＿Ｐｌａｃｅ（地名）、機材ＩＤ、Ｃａｍｅｒａ  Ｓｅｔｕｐ  Ｉｎｆｏｒｍａｔｉｏｎ、Ｒｅｅｌ  Ｎｕｍｂｅｒ、Ｄｕｒａｔｉｏｎ（Ｔｉｍｅ）、ＳＯＭ、Ｇｏｏｄ  Ｓｈｏｔ  Ｍａｒｋ  ＆  ＲＥＣ  Ｓｔａｒｔ  Ｍａｒｋ、Ａｕｄｉｏ  Ｃｈａｎｎｅｌ  Ｉｎｆｏｒｍａｔｉｏｎ、Ａｕｄｉｏ  Ｔｙｐｅ、ＵＭＩＤ（Ａｕｄｉｏ）、ＵＭＩＤ（Ｖｉｄｅｏ）、Ｃｏｐｙｒｉｇｈｔ、Ｓｏｕｒｃｅ、ＳＴＣ、Ｆｏｒｍａｔ、圧縮率（Ｖｉｄｅｏ  Ｂｉｔ  Ｒａｔｅ）、ＧＯＰ  Ｓｉｚｅ、Ｒｅｓｏｌｕｔｉｏｎ、Ａｕｄｉｏ  Ｃｈａｎｎｅｌ数、Ａｕｄｉｏ  Ｃｏｍｐｒｅｓｓｉｏｎ、Ａｕｄｉｏ  Ｓａｍｐｌｉｎｇ  Ｒａｔｅ、Ａｕｄｉｏ  Ｄａｔｅ  Ｓｉｚｅ、ＲＥＣ＿Ｔｙｐｅ、Ｍａｔｅｒｉａｌ＿ＩＤ、Ｓｕｂ  Ｋｅｙ、ＵＭＩＤ（Ｄａｔａ）、ＵＭＩＤ（Ｓｙｓｔｅｍ）、Ｆｉｌｅ  Ｌｅｎｇｔｈ、Ｅｓｓｅｎｃｅ＿Ｓｉｚｅ、Ｏｂｊｅｃｔ  Ｔｙｐｅ、Ｖａｌｉｄ  Ｄａｔｅの各メタデータは、計画工程１１、取材工程２１及び素材蓄積工程２２の各段階で入力されるものであり、これらメタデータは、粗編集において使用される。また、これらのメタデータのなかには、粗編集によって書き換えられるメタデータもある。
記者によって行われる粗編集及び記事作成の段階で新たに入力されるメタデータとしては、編集内容に関する情報を表すＥＤＬ（Ｅｄｉｔｉｎｇ  Ｄｅｃｉｓｉｏｎ  Ｌｉｓｔ）Ｉｎｆｏｒｍａｔｉｏｎ、記事原稿を記述したＳｃｒｉｐｔがある。
本編集工程３２では、計画工程１１で決定された内容に基づいて、ボイスオーバ工程２３からの素材と素材蓄積工程２２において記録サーバに蓄積されている素材とを使用して本編集が行われ、最終的に放送するニュース番組映像（以下、放送用素材と記す。）が制作される。また、このときＣＧ合成１５において作成されたＣＧ画像、保管工程５２及び仮保管工程５１にて保管された素材が使用されることもある。図６Ａ及び図６Ｂに、本編集が行われる際に使用されるメタデータを例示する。図６Ａは、主に撮像装置において入力されるメタデータを示し、図６Ｂは、主に素材蓄積工程２２において入力されるメタデータを示している。本編集３２では、これらに加え、更に新たなメタデータが入力される。或いは、メタデータの内容が書き換えられる。
Ｇａｔｈｅｒｉｎｇ＿Ｓｔａｒｔ＿ＤａｔｅＴｉｍｅ、Ｇａｔｈｅｒｉｎｇ＿Ｅｎｄ＿ＤａｔｅＴｉｍｅ、Ｔｉｍｅ  Ｚｏｎｅ、Ｇａｔｈｅｒｉｎｇ＿Ｌｏｃａｔｉｏｎ＿Ｐｌａｃｅ、Ｐｈｏｔｏｇｒａｐｈｅｒ、Ｊｏｒｎａｌｉｓｔ  Ｉｎｆｏｒｍａｔｉｏｎ、Ｄｉｒｅｃｔｏｒ、Ｐｒｏｄｕｃｅｒ、Ｔｉｔｌｅ、Ｃｏｎｔｅｎｔｓ、ＮＣＳ  ＩＤ、Ｇａｔｈｅｒｉｎｇ＿Ｌｏｃａｔｉｏｎ＿Ｌａｔｉｔｕｄｅ（ＧＰＳ緯度）、Ｇａｔｈｅｒｉｎｇ＿Ｌｏｃａｔｉｏｎ＿Ｌｏｎｇｉｔｕｄｅ（ＧＰＳ経度）、Ｇａｔｈｅｒｉｎｇ＿Ｌｏｃａｔｉｏｎ＿Ａｌｔｉｔｕｄｅ（ＧＰＳ高度）、Ｇａｔｈｅｒｉｎｇ＿Ｌｏｃａｔｉｏｎ＿Ｔｉｍｅ（ＧＰＳ  Ｔｉｍｅ）、Ｇａｔｈｅｒｉｎｇ＿Ｌｏｃａｔｉｏｎ＿Ｐｌａｃｅ（地名）、機材ＩＤ、Ｃａｍｅｒａ  Ｓｅｔｕｐ  Ｉｎｆｏｒｍａｔｉｏｎ、Ｒｅｅｌ  Ｎｕｍｂｅｒ、Ｒｅｅｌ  Ｎｕｍｂｅｒ、Ｄｕｒａｔｉｏｎ（Ｔｉｍｅ）、ＳＯＭ、Ｇｏｏｄ  Ｓｈｏｔ  Ｍａｒｋ  ＆  ＲＥＣ  Ｓｔａｒｔ  Ｍａｒｋ、Ａｕｄｉｏ  Ｃｈａｎｎｅｌ  Ｉｎｆｏｒｍａｔｉｏｎ、Ａｕｄｉｏ  Ｔｙｐｅ、ＵＭＩＤ（Ａｕｄｉｏ）、ＵＭＩＤ（Ｖｉｄｅｏ）、Ｃｏｐｙｒｉｇｈｔ、Ｓｏｕｒｃｅ、ＳＴＣ、Ｆｏｒｍａｔ、圧縮率（Ｖｉｄｅｏ  Ｂｉｔ  Ｒａｔｅ）、ＧＯＰ  Ｓｉｚｅ、Ｒｅｓｏｌｕｔｉｏｎ、Ａｕｄｉｏ  Ｃｈａｎｎｅｌ数、Ａｕｄｉｏ  Ｃｏｍｐｒｅｓｓｉｏｎ、Ａｕｄｉｏ  Ｓａｍｐｌｉｎｇ  Ｒａｔｅ、Ａｕｄｉｏ  Ｄａｔｅ  Ｓｉｚｅ、ＲＥＣ＿Ｔｙｐｅ、Ｍａｔｅｒｉａｌ＿ＩＤ、Ｓｕｂ  Ｋｅｙ、ＵＭＩＤ（Ｄａｔａ）、ＵＭＩＤ（Ｓｙｓｔｅｍ）、Ｆｉｌｅ  Ｌｅｎｇｔｈ（Ｔｉｍｅ）、Ｅｓｓｅｎｃｅ＿Ｓｉｚｅ（Ｂｙｔｅ）、Ｏｂｊｅｃｔ  Ｔｙｐｅ、Ｖａｌｉｄ  Ｄａｔｅ、ＥＤＬ  Ｉｎｆｏｒｍａｔｉｏｎ、Ｓｃｒｉｐｔの各メタデータは、計画工程１１、取材工程２１、素材蓄積工程２２及び記者による粗編集で生成及び／又は使用されるものである。これらのメタデータは、本編集工程３２において素材の編集を行う際に使用される。
メタデータのなかには、本編集によって書き換えられるメタデータもある。本編集工程３２では、主にＥＤＬ  Ｉｎｆｏｒｍａｔｉｏｎ、Ｓｃｒｉｐｔを表すメタデータが編集した内容に応じて書き換えられ、ここで書き換えられた内容で確定される。
一方、ＣＧ作成工程３１では、コンピュータグラフィクスにより映像に重ねて表示する天気図、地図、文字等が作成される。このときＣＧ合成画面は、位置情報を示すメタデータに基づいて自動的に作成される。この様子を図７に示す。
使用されるメタデータには、例えば、取材工程２１段階で撮影装置によって入力されるＧａｔｈｅｒｉｎｇ＿Ｌｏｃａｔｉｏｎ＿Ｌａｔｉｔｕｄｅ（ＧＰＳ緯度）、Ｇａｔｈｅｒｉｎｇ＿Ｌｏｃａｔｉｏｎ＿Ｌｏｎｇｉｔｕｄｅ（ＧＰＳ経度）、Ｇａｔｈｅｒｉｎｇ＿Ｌｏｃａｔｉｏｎ＿Ａｌｔｉｔｕｄｅ（ＧＰＳ高度）、Ｇａｔｈｅｒｉｎｇ＿Ｌｏｃａｔｉｏｎ＿Ｔｉｍｅ（ＧＰＳ  Ｔｉｍｅ）等の位置情報を示すメタデータや、Ｓｃｒｉｐｔ、Ｔｉｔｌｅ等のメタデータがある。
素材に記録されたＧａｔｈｅｒｉｎｇ＿Ｌｏｃａｔｉｏｎ＿Ｌａｔｉｔｕｄｅ（ＧＰＳ緯度）、Ｇａｔｈｅｒｉｎｇ＿Ｌｏｃａｔｉｏｎ＿Ｌｏｎｇｉｔｕｄｅ（ＧＰＳ経度）、Ｇａｔｈｅｒｉｎｇ＿Ｌｏｃａｔｉｏｎ＿Ａｌｔｉｔｕｄｅ（ＧＰＳ高度）のメタデータに基づいて位置情報に対応する地域の地図が地図を記憶するデータベースから自動的に抽出される。また、Ｇａｔｈｅｒｉｎｇ＿Ｌｏｃａｔｉｏｎ＿Ｔｉｍｅ（ＧＰＳ  Ｔｉｍｅ）に基づいて自動的に時間が表示される。
自動的に作成されたＣＧ合成画面は、編集用のＣＧ合成ＧＵＩ（Ｇｒａｐｈｉｃａｌ  Ｕｓｅｒ  Ｉｎｔｅｒｆａｃｅ）において編集者が自由に編集できる。
続くオートメーション工程４３では、編集された映像に加えて、クローズドキャプション工程４１で生成されたクローズドキャプション信号と、ＣＧ合成画面と、生中継４２からの中継映像が加えられて放送される映像データ、音声データ及びメタデータが合成される。
映像及び音声データとともに合成されて送出されるメタデータは、計画工程１１、取材工程２１、素材蓄積工程２２、記者による粗編集、本編集工程３２において生成及び／又は使用されたメタデータである。
特に、Ｇａｔｈｅｒｉｎｇ＿Ｓｔａｒｔ＿ＤａｔｅＴｉｍｅ、Ｇａｔｈｅｒｉｎｇ＿Ｅｎｄ＿ＤａｔｅＴｉｍｅ、Ｔｉｍｅ  Ｚｏｎｅ、Ｇａｔｈｅｒｉｎｇ＿Ｌｏｃａｔｉｏｎ＿Ｐｌａｃｅ、Ｐｈｏｔｏｇｒａｐｈｅｒ、Ｊｏｒｎａｌｉｓｔ  Ｉｎｆｏｒｍａｔｉｏｎ、Ｄｉｒｅｃｔｏｒ、Ｐｒｏｄｕｃｅｒ、Ｔｉｔｌｅ、Ｃｏｎｔｅｎｔｓ、ＮＣＳ  ＩＤ、Ｇａｔｈｅｒｉｎｇ＿Ｌｏｃａｔｉｏｎ＿Ｌａｔｉｔｕｄｅ（ＧＰＳ緯度）、Ｇａｔｈｅｒｉｎｇ＿Ｌｏｃａｔｉｏｎ＿Ｌｏｎｇｉｔｕｄｅ（ＧＰＳ経度）、Ｇａｔｈｅｒｉｎｇ＿Ｌｏｃａｔｉｏｎ＿Ａｌｔｉｔｕｄｅ（ＧＰＳ高度）、Ｇａｔｈｅｒｉｎｇ＿Ｌｏｃａｔｉｏｎ＿Ｔｉｍｅ（ＧＰＳ  Ｔｉｍｅ）、Ｇａｔｈｅｒｉｎｇ＿Ｌｏｃａｔｉｏｎ＿Ｐｌａｃｅ（地名）、機材ＩＤ、Ｃａｍｅｒａ  Ｓｅｔｕｐ  Ｉｎｆｏｒｍａｔｉｏｎ、Ｒｅｅｌ  Ｎｕｍｂｅｒ、Ｒｅｅｌ  Ｎｕｍｂｅｒ、Ｄｕｒａｔｉｏｎ、ＳＯＭ、Ｇｏｏｄ  Ｓｈｏｔ  Ｍａｒｋ  ＆  ＲＥＣ  Ｓｔａｒｔ  Ｍａｒｋ、Ａｕｄｉｏ  Ｃｈａｎｎｅｌ  Ｉｎｆｏｒｍａｔｉｏｎ、Ａｕｄｉｏ  Ｔｙｐｅ、ＵＭＩＤ（Ａｕｄｉｏ）、ＵＭＩＤ（Ｖｉｄｅｏ）、Ｃｏｐｙｒｉｇｈｔが挙げられる。Ｓｏｕｒｃｅ、ＳＴＣ、Ｆｏｒｍａｔ、圧縮率（Ｖｉｄｅｏ  Ｂｉｔ  Ｒａｔｅ）、ＧＯＰ  Ｓｉｚｅ、Ｒｅｓｏｌｕｔｉｏｎ、Ａｕｄｉｏ  Ｃｈａｎｎｅｌ数、Ａｕｄｉｏ  Ｃｏｍｐｒｅｓｓｉｏｎ、Ａｕｄｉｏ  Ｓａｍｐｌｉｎｇ  Ｒａｔｅ、Ａｕｄｉｏ  Ｄａｔｅ  Ｓｉｚｅ、ＲＥＣ＿Ｔｙｐｅ、Ｍａｔｅｒｉａｌ＿ＩＤ、Ｓｕｂ  Ｋｅｙ、ＵＭＩＤ（Ｄａｔａ）、ＵＭＩＤ（Ｓｙｓｔｅｍ）、Ｆｉｌｅ  Ｌｅｎｇｔｈ、Ｅｓｓｅｎｃｅ＿Ｓｉｚｅ、Ｏｂｊｅｃｔ  Ｔｙｐｅ、Ｖａｌｉｄ  Ｄａｔｅ、ＥＤＬ  Ｉｎｆｏｒｍａｔｉｏｎ、Ｓｃｒｉｐｔの各メタデータのなかから放送用素材を受信する視聴者にとって必要とされるメタデータを抽出して送信することもできる。
オートメーション工程４３において、合成されたニュース番組は、放送段階４０においてオンエア（放送）される。
放送後の映像データ、音声データ及びメタデータは、仮保管工程５１の段階で一定期間仮保管された後、保管工程５２の段階で長期保管される。保管された素材は、保管用の記録装置等から適宜抽出され使用される。
このとき、メタデータとして記述されている素材の付加情報は、素材を識別するための素材固有の識別子として使用される。また、メタデータとして入力されている付加情報を参照することによって、例えば編集者・記者等は、直ちに所望の素材を検索できる。
以上説明したような作業の流れに基づいて、画像処理を行う画像処理システムを、図８を用いて具体的に説明する。画像処理システム１は、素材（映像及び音声）の取材、編集、保管等を行う各装置を備えたものであり、各装置での処理工程で、素材を詳細に識別するための付加情報を記録媒体、或いは専用の記録サーバに入力するものである。ここでは、特にニュース番組を制作する場合について示す。
画像処理システム１は、映像及び音声を映像データ及び音声データとして記録媒体に記録する撮像装置１０１と、後述の基地局を介して付加情報を入力し、撮像装置１０１へと送信する携帯型電話機１０２と、基地局へ付加情報を送信するデータ管理装置１０３と、データ管理装置１０３から携帯型電話機１０２へ送信されるデータを中継する基地局１０４とを備える。
また、画像処理システム１は、映像データ及び音声データの記録及び／又は再生が行われる記録媒体を内部に有する記録媒体筐体１０５と、記録媒体に記録されたデータの再生を行う記録再生装置１０６と、記録再生装置１０６における操作及び再生される映像等を表示するモニタ１０７と、再生された映像データ及び音声データを一時的に蓄積する素材蓄積装置１０８と、素材の編集を行う編集装置１０９と、編集装置１０９における操作及び編集画像を表示するモニタ１１０とを備える。
また、画像処理システム１は、当該システムにおける素材管理等を行う統合管理装置１１１と、記者等が素材に対しての情報を入力する記者用端末１１２と、他のネットワークに接続されて情報の入出力を行う入出力端末１１３とを備える。
また、画像処理システム１は、制作された放送用素材を保管する保管用記録装置１１４と、放送用素材の時間軸とは関係のない情報を生成して付加するオーサリング端末１１５と、オーサリング端末１１５で生成された情報に配信のための配信用データを付加するメディアキャスタ１１６と、編集装置１０９によって編集された放送用素材と、時間軸とは関係のない情報と、配信用データとを混成するマルチプレクサ１１７と、送出用の放送用素材を一時的に記録する送出用映像音声記録装置１１８と、マルチプレクサ１１７によって生成された放送用素材を送出する送出部１１９と、送出部１１９から送出される放送用素材を受信するためのセットトップボックス１２０と、放送用素材を受信して表示するテレビジョン受像機１２１とを備える。
更に、画像処理システム１は、撮像装置１０１、素材蓄積装置１０８、編集装置１０９、保管用記録装置１１４の各装置において、素材の撮影、蓄積、編集、保管等を行った際に、素材の識別情報を示したメタデータを映像データ及び音声データ（以下、素材データと記す。）とともに記録することによって明確に素材を識別できる。
図９乃至図１１に、付加情報として入力されるメタデータの具体例を示す。図９乃至図１１は、便宜上分割して示すが、これらは一連の図である。
図９乃至図１１に、「Ｆ」、「Ｔ」、「Ｓｈ」、「Ｓｃ」、「Ｍ」、「Ｐ」の記号として示される周期は、メタデータの変更周期を表している。すなわち、「Ｆ」（Ｆｒａｍｅ）は、１／３０秒毎に連続的に撮影される映像の１コマ周期で変更されるメタデータである「Ｔ」（Ｔａｋｅ）は、テイク毎に変更されるメタデータである。「Ｓｈ」（Ｓｈｏｔ）は、ショット周期で変更されるメタデータである。「Ｓｃ」（Ｓｃｅｎｅ）は、シーン周期で変更されるメタデータである。「Ｍ」（Ｍｅｄｉａ）は、記録媒体毎に決められたメタデータである。「Ｐ」（Ｐｒｏｊｅｃｔ）は、ニュース番組毎に決められたメタデータである。
図９乃至図１１には他に、メタデータを説明する日本語表記と英語表記とが示されている。また、ＳＭＰＴＥ（Ｓｏｃｉｅｔｙ  ｏｆ  Ｍｏｔｉｏｎ  Ｐｉｃｔｕｒｅ  ａｎｄ  Ｔｅｌｅｖｉｓｉｏｎ  Ｅｎｇｉｎｅｅｒｓ，Ｉｎｃ．）によって既に規定されているメタデータは、ＳＭＰＴＥ  Ｄｉｃｔｉｏｎａｒｙの欄に「０７  ０１  ０５  ０２  ０４  ００  ００  ００」のように実際の値を示している。
図９乃至図１１に示したメタデータを具体的に説明する。Ｇａｔｈｅｒｉｎｇ＿Ｌｏｃａｔｉｏｎ＿Ｌａｔｉｔｕｄｅは、ＧＰＳ（Ｇｌｏｂａｌ  Ｐｏｓｉｔｉｏｎｉｎｇ  Ｓｙｓｔｅｍ）で検出される緯度を表すメタデータである。Ｇａｔｈｅｒｉｎｇ＿Ｌｏｃａｔｉｏｎ＿Ｌｏｎｇｉｔｕｄｅは、ＧＰＳで検出される経度を表すメタデータである。Ｇａｔｈｅｒｉｎｇ＿Ｌｏｃａｔｉｏｎ＿Ａｌｔｉｔｕｄｅは、ＧＰＳで検出される高度を表すメタデータである。Ｇａｔｈｅｒｉｎｇ＿Ｌｏｃａｔｉｏｎ＿Ｔｉｍｅは、ＧＰＳで検出される時間を表すメタデータである。ＧＰＳによる位置情報は、撮像装置１０１が備えるＧＰＳ受信部１３８から随時発生されている。また、ＧＰＳで検出される時間情報は、ＵＴＣ（Ｃｏｏｒｄｉｎａｔｅｄ  Ｕｎｉｖｅｒｓａｌ  Ｔｉｍｅ；調整済グリニジ平均時）によって表されており、ＵＴＣからの時差を表すＴｉｍｅ  Ｚｏｎｅ情報を含んで示されている。例えば日本の場合、ＵＴＣとの時差は９時間であるため、＋９を示す情報が含まれている。
Ｇａｔｈｅｒｉｎｇ＿Ｌｏｃａｔｉｏｎ＿Ｐｌａｃｅは、取材場所の地名を表すメタデータである。
ＵＭＩＤ（Ａｕｄｉｏ）及びＵＭＩＤ（Ｖｉｄｅｏ）は、素材を識別するために付される全世界で唯一になるように決められたＩＤである。ＵＭＩＤについての詳細は後述する。
ＵＭＩＤ（Ｄａｔａ）は、素材データに関する情報を記述するためのメタデータであるが、取材時に撮像装置によって記述されるＵＭＩＤ（Ａｕｄｉｏ）及びＵＭＩＤ（Ｖｉｄｅｏ）とは異なり、映像データが静止画であるか、グラフィックであるか、クローズドキャプション信号であるか、音声データがＭＩＤＩ（Ｍｕｓｉｃａｌ  Ｉｎｓｔｒｕｍｅｎｔ  Ｄｉｇｉｔａｌ  Ｉｎｔｅｒｆａｃｅ）であるか等を表すＩＤである。
ＵＭＩＤ（Ｓｙｓｔｅｍ）は、ある素材に対して付されるＵＭＩＤ（Ａｕｄｉｏ）とＵＭＩＤ（Ｖｉｄｅｏ）とを纏めたＩＤを表している。
Ｐｈｏｔｏｇｒａｐｈｅｒは、撮影者の名前を表すメタデータである。Ｊｏｒｎａｌｉｓｔ  Ｉｎｆｏｒｍａｔｉｏｎは、取材を担当する記者に関する情報が書き込まれるメタデータである。  Ｄｉｒｅｃｔｏｒは、ニュース番組のディレクタを表すメタデータである。
Ｇｏｏｄ  Ｓｈｏｔ  Ｍａｒｋ  ＆  ＲＥＣ  Ｓｔａｒｔ  Ｍａｒｋは、撮影の際、手動で入力されるマーク点に関するメタデータである。
Ｃａｍｅｒａ  Ｓｅｔｕｐ  Ｉｎｆｏｒｍａｔｉｏｎは、例えば撮像装置が備えるＣＣＤ（Ｃｈａｒｇｅ  Ｃｏｕｐｌｅｄ  Ｄｅｖｉｃｅ）の設定情報、レンズメーカ・絞り値・レンズ倍率等を記述するレンズデータ、及びクレーン角度等を含むメタデータである。Ｃａｍｅｒａ  Ｓｅｔｕｐ  Ｉｎｆｏｒｍａｔｉｏｎは、特にＣＧ合成１５の段階で必要となる。
機材ＩＤは、取材に使用する撮像装置を表すメタデータであり、撮像装置毎に固有の識別ナンバを有する。
Ｔａｋｅ  Ｎｕｍｂｅｒは、テイク周期で変更されるメタデータである。
素材開始タイムコード（Ｓｔａｒｔ  Ｏｆ  Ｍａｔｅｒｉａｌ）は、各シーンの開始時間を示すメタデータである。
Ｃｏｎｔｅｎｔｓは、撮影内容に関連する他の情報が入力されるメタデータである。
Ｖａｌｉｄ  Ｄａｔｅは、素材の有効期限を示すメタデータである。
Ａｕｄｉｏ  Ｃｈａｎｎｅｌ  Ｉｎｆｏｒｍａｔｉｏｎは、マイクチャンネルインフォメーションを示すメタデータである。Ａｕｄｉｏ  Ｃｈａｎｎｅｌ  Ｉｎｆｏｒｍａｔｉｏｎは、例えば１チャンネルがレポータマイクに割り当てられ、２チャンネルが相手マイクに割り当てられている等のマイク情報が記述されている。
Ａｕｄｉｏ  Ｔｙｐｅは、音声の記録がモノラルか、ステレオか、バイリンガルかを示すメタデータである。
Ｓｏｕｒｃｅは、記録サーバに供給される素材が記録媒体等に記録されて直接放送局に持ち込まれたものであるか、衛星通信、無線通信等によって取材場所から送信されたものであるか、或いは他の放送局から配信されたものであるか等の映像データの供給源を表すメタデータである。
Ｆｏｒｍａｔは、、ＤＶフォーマットであるか、ＭＰＥＧ＿ＭＰ＠ＭＬフォーマットであるか、ＭＰＥＧ＿４：２：２Ｐ＠ＭＬフォーマットであるか等のデータストリームの形式を示すメタデータである。
Ｖｉｄｅｏ  Ｂｉｔ  Ｒａｔｅは、映像の圧縮率を示すメタデータである。
Ａｕｄｉｏ  Ｎｕｍｂｅｒ  ｏｆ  Ｃｈａｎｎｅｌは、オーディオデータのチャンネル数を表すメタデータである。Ａｕｄｉｏ  Ｃｏｍｐｒｅｓｓｉｏｎは、オーディオデータが圧縮されているか否かを表すメタデータである。
Ａｕｄｉｏ  Ｃｏｍｐｒｅｓｓｉｏｎは、オーディオデータの圧縮率を表すメタデータである。
Ａｕｄｉｏ  Ｓａｍｐｌｉｎｇ  Ｒａｔｅは、オーディオサンプリング周波数を表すメタデータである。
Ａｕｄｉｏ  Ｄａｔｅ  Ｓｉｚｅは、オーディオデータのサイズを時間、或いはバイト数によって表示するメタデータである。
ＲＥＣ＿Ｔｙｐｅは、Ａｕｔｏ、Ｍａｎｕａｌ、ＧＰＩ、Ｅｎｄｌｅｓｓ、Ｏｐｅｎ  Ｅｎｄ等といった収録方法を示すメタデータである。
Ｍａｔｅｒｉａｌ＿ＩＤは、既存の画像処理システムにおいて使用されている素材を識別するためのＩＤである。すなわち、Ｍａｔｅｒｉａｌ  ＩＤは、ＵＭＩＤに相当するものであり、記述されない場合もある。
Ｓｕｂ  Ｋｅｙは、Ｖｅｒｓｉｏｎ、Ｓｅｇｍｅｎｔ、Ｒｅｖｉｓｉｏｎ等を示すメタデータであり、素材に対して、数回の編集等を施す間に変形したか否か等を示すものである。
Ｆｉｌｅ  Ｌｅｎｇｔｈ（Ｔｉｍｅ）は、素材の長さを時間で表すメタデータである。
Ｇａｔｈｅｒｉｎｇ＿Ｓｔａｒｔ＿ＤａｔｅＴｉｍｅは、撮影を開始する時間を表すメタデータであり、ＵＴＣによって表される。Ｇａｔｈｅｒｉｎｇ＿Ｅｎｄ＿ＤａｔｅＴｉｍｅは、同様にＵＴＣで表され、撮影終了時間を表すメタデータである。これらの時間データは、ＵＴＣからの時差を表すＴｉｍｅ  Ｚｏｎｅ情報を含んでいる。
ＲＥＣ＿Ｓｔａｒｔ＿ＤａｔｅＴｉｍｅは、編集装置１０９において、放送用素材を制作する際の編集開始時間をＵＴＣで表したメタデータである。また、ＲＥＣ＿Ｅｎｄ＿ＤａｔｅＴｉｍｅは、編集の終了時間をＵＴＣで表したメタデータである。これらの時間情報には、ＵＴＣからの時差を表すＴｉｍｅ  Ｚｏｎｅ情報が含まれている。
Ｒｅｃｏｒｄｉｎｇ＿Ｏｐｅｒａｔｏｒは、編集装置１０９において編集を行ったオペレータの情報を表すメタデータである。
Ｆｉｌｅ＿Ｏｗｎｅｒは、撮影者等、素材データの所有権情報を表すメタデータである。
Ｓｈｏｔ  Ｎｕｍｂｅｒは、ショット周期で変更されるメタデータである。
Ｄｕｒａｔｉｏｎ（Ｔｉｍｅ）は、撮影に要した時間を示すメタデータである。
ＧＯＰ  Ｓｉｚｅは、映像がＭＰＥＧ形式によって圧縮されている場合、その圧縮率を示すメタデータである。
Ｒｅｓｏｌｕｔｉｏｎは、７２０＊５１２、７２０＊４８０、５４４＊４８０、４８０＊４８０、３５２＊４８０等の解像度を表すメタデータである。
Ｅｓｓｅｎｃｅ＿Ｓｉｚｅ（Ｂｙｔｅ）は、映像及び音声データを含むファイル全体のサイズをバイト数によって表したメタデータであり、時間によって表示する場合もある。
Ｏｂｊｅｃｔ  Ｔｙｐｅ（Ｓｔｉｌｌ、Ａｕｄｉｏ、Ｖｉｄｅｏ、Ｋｅｙ  Ｓｏｕｒｃｅ）は、映像データが静止画であるか否かを示すＳｔｉｌｌ、オーディオデータであるか映像データであるかを示すＡｕｄｉｏ及びＶｉｄｅｏ、テロップ用の指示を示すＫｅｙ  Ｓｏｕｒｃｅ等のデータを含むメタデータである。
Ｉｎｄｅｘ、Ｉｎｄｅｘ＿Ｔｙｐｅ、Ｉｎｄｅｘ＿Ｍｅｍｏは、検索を行うためのメタデータである。
Ｓｃｅｎｅ  Ｎｕｍｂｅｒは、シーン周期で変更されるメタデータである。
Ｒｅｃｏｒｄｉｎｇ  Ｔｅｒｍｉｎａｌ、ＲＥＣ  Ｐｏｒｔは、収録を行った端末に関する情報を表すメタデータである。
Ｒｅｅｌ  Ｎｕｍｂｅｒは、映像データが記録される記録媒体を識別するためのメタデータであり、同じテープであっても撮像装置から出し入れする毎に異なるＮｕｍｂｅｒとして生成される。
Ｃｏｐｙｒｉｇｈｔは、撮影されて記録された映像データの著作権を示すメタデータであり、個人名、或いは放送局名等が入力されるようになっている。
Ｍｏｄｉｆｉｅｄ＿ＤａｔｅＴｉｍｅは、編集装置１０９において編集された放送用素材に変更が加えられた日付を示すメタデータであり、ＯｎＡｉｒ＿ＤａｔｅＴｉｍｅは、放送用素材がオンエアされた日付を示すメタデータであり、Ａｒｃｈｉｖｅ＿ＤａｔｅＴｉｍｅは、放送用素材が保管された日付を示すメタデータである。これらは、Ｔｉｍｅ  Ｚｏｎｅ情報を含むＵＴＣによって表される。
Ｐｒｏｄｕｃｅｒは、ニュース番組のプロデューサを表すメタデータである。  Ａｒｃｈｉｖｅ＿Ｏｐｅｒａｔｏｒは、放送用素材の保管を行ったオペレータの情報を表すメタデータである。
Ｔｉｔｌｅは、撮影題目、或いは取材する内容（素材の内容）を使用する番組名を表すメタデータである。
Ａｒｃｈｉｖｅ  Ｔｅｒｍｉｎａｌは、放送用素材の保管を行った端末に関する情報を表すメタデータである。
ＮＣＳ  ＩＤは、ＮＣＳ（Ｎｅｗｓｒｏｏｍ  Ｃｏｍｐｕｔｅｒ  Ｓｙｓｔｅｍ）に登録されているニュース番組項目及び番組毎に設定されたＩＤ（Ｉｄｅｎｔｉｆｉｅｒ：識別子）である。ただしＮＣＳ  ＩＤは、ＮＣＳ６０にアクセスするためのＩＤを示すものではない。
ＥＤＬ  Ｉｎｆｏｒｍａｔｉｏｎは、編集内容に関するメタデータである。具体的には、使用する映像データのイン点、アウト点等が、時間又はＲｅｅｌ  Ｎｕｍｂｅｒによって示されたものであり、編集点リストとして記述されている。また、Ｓｃｒｉｐｔは、主として読み原稿の内容を示すメタデータである。
ＯｎＡｉｒ＿Ｆｌａｇは、編集された放送用素材が、オンエアされたか否かを表すメタデータであり、ＯｎＡｉｒ＿Ｃｏｕｎｔｅｒは、何回オンエアされたかを表すメタデータである。
Ａｒｃｈｉｖｅ＿Ｆｌａｇは、取材によって収集した素材が、保管されたか否かを表すメタデータである。
Ｃｏｍｐｉｌｅ＿Ｆｌａｇは、一旦保管されている素材を再度整理し、消去するか否かの処理を行った際に、再度記録し直されたことを表すメタデータである。
Ｄｉｓｔｒｉｂｕｔｉｏｎ＿Ｆｌａｇは、放送用素材が自局以外の放送局から送出されたか否かを表すメタデータである。素材の売買を行った際にもその情報が記述される。
Ｆｉｌｅ＿Ｓｔａｔｕｓ＿Ｂｉｔは、素材蓄積装置１０８及び編集装置１０９における素材の状態を表すメタデータである。
各装置における処理工程において、以上のようなメタデータが入力されることにより、素材の状態等を示す付加情報によって素材を明確に識別することが可能となる。
画像処理システム１において、映像データ、音声データ及びメタデータを伝送するための伝送フォーマットとしては、ＳＭＰＴＥ（Ｓｏｃｉｅｔｙ  ｏｆ  Ｍｏｔｉｏｎ  Ｐｉｃｔｕｒｅ  ａｎｄ  Ｔｅｌｅｖｉｓｉｏｎ  Ｅｎｇｉｎｅｅｒ，Ｉｎｃ．）によって規格化されているデジタルデータ伝送フォーマットであるＳＤＩ（Ｓｅｒｉａｌ  Ｄｉｇｉｔａｌ  Ｉｎｔｅｒｆａｃｅ）を使用する。図１２Ａに、ＳＤＩフォーマットデータ全体の構成を示す。
ＳＤＩフォーマットは、終了同期を示す４ドットのＥＡＶ（Ｅｎｄ  ｏｆ  Ｖｉｄｅｏ）領域と、２６８ドットのアンシラリ（Ａｎｃｉｌｌａｒｙ；ＡＮＳ）領域と、開始同期を示す４ドットのＳＡＶ（Ｓｔａｒｔ  ｏｆ  Ｖｉｄｅｏ）領域と、１４４０ドットのアクティブビデオ領域とを有し、ライン数５２５で構成されている。ただし、括弧内の数字は、ＰＡＬ（Ｐｈａｓｅ  Ａｌｔｅｒｎａｔｉｏｎ  Ｌｉｎｅ）方式で定義される値を示している。
アクティブビデオ領域は、９ラインの垂直ブランキング部（ＶＢＫ１）と、１０ラインのオプショナルブランキング部（ＯＢＫ１）と、２４４ラインのアクティブビデオ部（ＡＣＶ１）と、９ラインの垂直ブランキング部（ＶＢＫ２）と、１０ラインのオプショナルブランキング部（ＯＢＫ２）と、２４３ラインのアクティブビデオ領域（ＡＣＶ２）とを有する。
ＳＤＩは、いわゆるＤ１フォーマット、Ｄ２フォーマットのような非圧縮デジタルデータを伝送するためのフォーマットであり、アンシラリ領域に音声データを格納し、アクティブビデオ領域にＤ１やＤ２のようなビデオデータを格納して伝送している。ＳＤＩフォーマットにおいて、メタデータは、アンシラリ領域に挿入されて伝送される。
図１２Ｂは、ＳＤＩフォーマットの１ラインを示したものである。伝送される際には、１ライン１０ビット幅のデータがパラレル―シリアル変換及び伝送路符号化されて伝送される。
また、画像処理システム１において映像データ、音声データ及びメタデータを伝送するための伝送フォーマットとしては、上述のＳＤＩフォーマットのほか、ＭＰＥＧ方式、ＤＶ方式等で圧縮された圧縮データを伝送するためのＳＤＴＩ（Ｓｅｒｉａｌ  Ｄｉｇｉｔａｌ  Ｔｒａｎｓｆｅｒ  Ｉｎｔｅｒｆａｃｅ）フォーマットや、ＳＤＴＩフォーマットを更に限定したＳＤＴＩ−ＣＰ（Ｓｅｒｉａｌ  Ｄｉｇｉｔａｌ  Ｔｒａｎｓｆｅｒ  Ｉｎｔｅｒｆａｃｅ−Ｃｏｎｔｅｎｔ  Ｐａｃｋａｇｅ）フォーマットを用いてもよい。
図１３Ａに、ＳＤＴＩフォーマットのデータ構造を示す。ＳＤＴＩフォーマットは、ＳＤＩフォーマットと同様に、終了同期を示す４ドットのＥＡＶ（Ｅｎｄ  ｏｆ  Ｖｉｄｅｏ）領域と、２６８ドットのアンシラリ（Ａｎｃｉｌｌａｒｙ；ＡＮＣ）領域と、開始同期を示す４ドットのＳＡＶ（Ｓｔａｒｔ  ｏｆ  Ｖｉｄｅｏ）領域とを有しているが、ＳＤＩフォーマットにおいてライン数５２５で構成されるアクティブビデオ領域が、ペイロード領域と定義されている。ただし、括弧内の数字は、ＰＡＬ（Ｐｈａｓｅ  Ａｌｔｅｒｎａｔｉｏｎ  Ｌｉｎｅ）方式で定義される値を示している。
ＳＤＴＩフォーマットにおいてペイロード領域は、ブランクデータ部（ＢＤＴ１、ＢＤＴ２）と、データ部（ＤＴ１、ＤＴ２）とを有するが、各データ部のライン数は定義されていない。
図１３Ｂは、ＳＤＴＩフォーマットの１ラインを示したものである。ＳＤＴＩフォーマットで伝送される際には、１ライン１０ビット幅のデータがパラレル―シリアル変換及び伝送路符号化されて伝送される。
ＳＤＴＩフォーマットでは、アンシラリ領域に、送信元アドレス、宛先アドレス、ラインナンバＣＲＣ等が挿入される５３ワードのＳＤＴＩヘッダデータが含まれている。ＳＤＴＩフォーマットにおいてメタデータは、アンシラリ領域のＳＤＴＩヘッダデータを除いた部分の領域に挿入される。
図１４に、ＳＤＴＩ−ＣＰフォーマットのデータ構造を示す。ＳＤＴＩ−ＣＰにおけるパケット構成は、ＳＤＴＩフォーマットを更に限定したものであり、各種データが挿入しやすいようにペイロードの構成に変更が加えられている。
ＳＤＴＩ−ＣＰフォーマットによって伝送されるデータは、ＭＰＥＧ（Ｍｏｖｉｎｇ  Ｐｉｃｔｕｒｅ  Ｅｘｐｅｒｔ  Ｇｒｏｕｐ）２  Ｖｉｄｅｏ  Ｅｌｅｍｅｎｔａｒｙ  Ｓｔｒｅａｍ等を含むほか、音声やメタデータを含む補助データ等の種々のデータを纏めて伝送できる。
ペイロードに挿入するデータは、「アイテム」で区切られ、各種データは、各アイテムに挿入されている。具体的に、アイテムには、Ｓｙｓｔｅｍ  Ｉｔｅｍ、Ｐｉｃｔｕｒｅ  Ｉｔｅｍ、Ａｕｄｉｏ  Ｉｔｅｍ、Ａｕｘｉｌｉａｒｙ  Ｉｔｅｍの４種類がある。
Ｓｙｓｔｅｍ  Ｉｔｅｍは、Ｓｙｓｔｅｍ  Ｉｔｅｍ  Ｂｉｔｍａｐ、Ｃｏｎｔｅｎｔ  Ｐａｃｋａｇｅ  ｒａｔｅ、ＳＭＰＴＥ  Ｕｎｉｖｅｒｓａｌ  Ｌａｂｅｌ、Ｐａｃｋａｇｅ  Ｍｅｔａｄａｔａ  Ｓｅｔ、Ｐｉｃｔｕｒｅ  Ｍｅｔａｄａｔａ  Ｓｅｔ、Ａｕｄｉｏ  Ｍｅｔａｄａｔａ  Ｓｅｔ、Ａｕｘｉｌｉａｒｙ  Ｍｅｔａｄａｔａ  Ｓｅｔ等の領域を有している。
ＳＤＴＩ−ＣＰフォーマットにおいてメタデータは、Ｓｙｓｔｅｍ  ＩｔｅｍのＰａｃｋａｇｅ  Ｍｅｔａｄａｔａ  Ｓｅｔ、Ｐｉｃｔｕｒｅ  Ｍｅｔａｄａｔａ  Ｓｅｔ、Ａｕｄｉｏ  Ｍｅｔａｄａｔａ  Ｓｅｔ、Ａｕｘｉｌｉａｒｙ  Ｍｅｔａｄａｔａ  Ｓｅｔ領域に挿入されて伝送される。
メタデータは、映像データ及び音声データ等の素材を識別するために付加される固有のデータであって、ＳＭＰＴＥ規格に基づくＫＬＶ（Ｋｅｙ  Ｌｅｎｇｔｈ  Ｖａｌｕｅ）プロトコル及びＵＭＩＤ（Ｕｎｉｑｕｅ  Ｍａｔｅｒｉａｌ  Ｉｄｅｎｔｉｆｉｅｒ）のデータフォーマットに基づいて伝送される。
ＫＬＶフォーマットとは、Ｕｎｉｖｅｒｓａｌ  Ｌａｂｅｌ  Ｄａｔａを記述する１６バイトのＵｎｉｖｅｒｓａｌ  Ｌａｂｅｌ  Ｄａｔａ  Ｋｅｙと、Ｖａｌｕｅ領域に格納されるメタデータのデータ長を示すＶａｌｕｅ  Ｌｅｎｇｔｈと、ＳＭＰＴＥ  Ｄｉｃｔｉｏｎａｒｙに対応する実際のメタデータが格納されるＶａｌｕｅの３つの領域を備えたデータ伝送フォーマットである。図１５にＫＬＶフォーマットを示す。
Ｕｎｉｖｅｒｓａｌ  Ｌａｂｅｌ  Ｄａｔａ  Ｋｅｙは、格納されるメタデータに対して固有なラベリングを施すためのデータ領域である。Ｕｎｉｖｅｒｓａｌ  Ｌａｂｅｌ  Ｄａｔａ  Ｋｅｙは、更に、それぞれ１バイトのＯｂｊｅｃｔ  ＩＤと、ＵＬ（Ｕｎｉｖｅｒｓａｌ  Ｌａｂｅｌ）Ｓｉｚｅとを含むＵＬ（Ｕｎｉｖｅｒｓａｌ  Ｌａｂｅｌ）Ｈｅａｄｅｒ領域、それぞれ１バイトのＵＬ（Ｕｎｉｖｅｒｓａｌ  Ｌａｂｅｌ）Ｃｏｄｅと、ＳＭＰＴＥ  Ｄｅｓｉｇｎと、Ｒｅｇｉｓｔｒｙ  Ｄｅｓｉｇｎと、Ｄａｔａ  Ｄｅｓｉｇｎと、Ｒｅｆｅｒｅｎｃｅ  Ｖｅｒｓｉｏｎとを含むＵＬ（Ｕｎｉｖｅｒｓａｌ  Ｌａｂｅｌ）Ｄｅｓｉｇｎａｔｏｒｓ領域、９バイトのＤａｔａ  Ｅｌｅｍｅｎｔ  Ｔａｇ領域の各領域に分けられてる。
ＵＭＩＤは、映像データ、オーディオ（音声）データ及び他の素材データを識別するために唯一的に決定される識別子である。図１６にＵＭＩＤのデータ構造を示す。
ＵＭＩＤは、一連の映像、音声及びメタデータ（以下、コンテンツと記す。）から構成される素材データを識別するためのＩＤとしてのＢａｓｉｃ  ＵＭＩＤと、素材データ内の各コンテンツを識別するためのシグネイチャとしてのＥｘｔｅｎｄｅｄ  ＵＭＩＤとから構成されている。
Ｂａｓｉｃ  ＵＭＩＤは、３２バイトのデータ領域を有し、１２バイトのＵｎｉｖｅｒｓａｌ  Ｌａｂｅｌ領域と、１バイトのＬｅｎｇｔｈ  Ｖａｌｕｅ領域と、３バイトのＩｎｓｔａｎｃｅ  Ｎｕｍｂｅｒ領域と、１６バイトで示されるＭａｔｅｒｉａｌ  Ｎｕｍｂｅｒ領域とから構成されている。
Ｕｎｉｖｅｒｓａｌ  Ｌａｂｅｌ領域は、デジタルデータを識別するための符号が格納されており、詳細は、ＳＭＰＴＥ−２９８Ｍにおいて規格化されている。Ｌｅｎｇｔｈ  Ｖａｌｕｅ領域は、ＵＭＩＤの長さを示す。Ｂａｓｉｃ  ＵＭＩＤと、Ｅｘｔｅｎｄｅｄ  ＵＭＩＤとでは符号の長さは異なる。Ｌｅｎｇｔｈ  Ｖａｌｕｅ領域は、Ｂａｓｉｃ  ＵＭＩＤの場合、１３ｈで示され、Ｅｘｔｅｎｄｅｄ  ＵＭＩＤの場合、３３ｈで示される。Ｉｎｓｔａｎｃｅ  Ｎｕｍｂｅｒ領域は、素材データへの上書き処理や、編集処理が施されたか否かを示している。Ｍａｔｅｒｉａｌ  Ｎｕｍｂｅｒ領域は、３つの領域を有し素材データを区別するための符号が格納されている。
４バイトで示されるＴｉｍｅ  Ｓｎａｐは、１日のスナップクロックサンプル数を示している。クロック単位で素材データの作成時刻等を示すものである。８バイトのＲｎｄ（Ｒａｎｄｏｍ  Ｎｕｍｂｅｒ）は、正確でない時刻をセットした場合や、例えばＩＥＥＥ（Ｔｈｅ  Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒ，Ｉｎｃ．）で定義された機器のネットワークアドレスが変化した場合に、二重の番号が付されないようにするためのランダムナンバである。
一方、Ｅｘｔｅｎｄｅｄ  ＵＭＩＤは、素材が生成された時間と日付とを識別するための８バイトのＴｉｍｅ／Ｄａｔｅ  Ｃｏｄｅと、素材が生成された時間に関する補正（時差情報）や、緯度、経度、高度で表される位置情報を定義する１２バイトのＳｐａｔｉａｌ  Ｃｏ−ｏｒｄｉｎａｔｅｓと、省略されたアルファベット等の文字や記号によって、国名４を定義するバイトのＡｌｐｈａｎｕｍｅｒｉｃ  Ｃｏｄｅ（Ｃｏｕｎｔｒｙ）と、省略されたアルファベット等の文字や記号によって、組織名を定義する４バイトのＡｌｐｈａｎｕｍｅｒｉｃ  Ｃｏｄｅ（Ｏｒｇａｎｉｚａｔｉｏｎ）と、素材を生成したユーザ名を定義する４バイトのＡｌｐｈａｎｕｍｅｒｉｃ  Ｃｏｄｅ（Ｕｓｅｒ）とで構成されている。
以上説明したＢａｓｉｃ  ＵＭＩＤ及びＥｘｔｅｎｄｅｄ  ＵＭＩＤは、映像サイズ、ジェネレーションナンバ等を示すメタデータは含まない。特に、Ｍａｔｅｒｉａｌ  Ｎｕｍｂｅｒは、素材の状態や素材の映像に関する他の情報を示すものではない。映像サイズ、ジェネレーションナンバ等を示すメタデータは、ＫＬＶフォーマットに基づいて伝送される。
上述の画像処理システム１における撮像装置１０１、携帯型電話機１０２、データ管理装置１０３、基地局１０４を図１７を用いて詳細に説明する。
撮像装置１０１は、素材管理装置１０８と接続されたデータ管理装置１０３から基地局１０４及び携帯型電話機１０２を介してメタデータを受信するものである。したがって、これらの装置間でのデータの伝送は、図１における計画工程１１から取材１２へと移行する過程において、移動する撮像装置１０１が、放送局からメタデータを送信される場合に相当する。
撮像装置１０１は、デジタルビデオカメラであって、映像及び音声を入力する画像音声入力部１３１と、撮像装置１０１の操作及びメタデータの入力等を行うための操作部１３２と、後述するマイクロコンピュータ１４０のＯＳ（Ｏｐｅｒａｔｉｎｇ  Ｓｙｓｔｅｍ）等が記録されるＨＤＤ（Ｈａｒｄ  Ｄｉｓｋ  Ｄｒｉｖｅ）１３３と、記録媒体１０５に対して少なくとも映像及び音声を記録する記録部１３４と、映像及び音声データと他のデータとを多重化するマルチプレクサ１３５と、主としてメタデータを記憶するメモリ１３６と、携帯型電話機１０２との間の無線インターフェイスであるブルートゥースデバイス１３７と、ＧＰＳ（Ｇｌｏｂａｌ  Ｐｏｓｉｔｉｏｎｉｎｇ  Ｓｙｓｔｅｍ）信号を受信して位置情報を検出するＧＰＳ受信部１３８と、ＧＰＳ信号を受信するためのアンテナ１３９と、上述の各構成を統括して制御するマイクロコンピュータ１４０とを少なくとも備えている。
画像音声入力部１３１は、図示しないがＣＣＤ（Ｃｈａｒｇｅ  Ｃｏｕｐｌｅｄ  Ｄｅｖｉｃｅ）等において撮像するための回路や、マイクロフォン等の録音のための回路を有し、入力された映像及び音声をマイクロコンピュータ１４０からの指示に基づいて映像データ及び音声データに変換してマルチプレクサ１３５に供給する。
操作部１３２は、図示しない各種ボタン、スイッチ等を有し撮像装置１０１に対して操作が行われる。また、必要に応じてメタデータが入力される。
ＨＤＤ１３３には、マイクロコンピュータ１４０のＯＳ（Ｏｐｅｒａｔｉｎｇ  Ｓｙｓｔｅｍ）や、携帯型電話機１０２を制御するソフトウェア等が記録されており、マイクロコンピュータ１４０が適宜これらのデータを読み込んで使用する。また、ＨＤＤ１３３は、マイクロコンピュータ１４０によってデータが書き込まれる。
記録部１３４は、図示しないが記録媒体に映像データ、音声データ及びメタデータを記録及び／又は再生する記録再生ヘッド等を有し、マイクロコンピュータ１４０により制御されてマルチプレクサ１３５から供給された映像データを記録媒体に記録する。また、記録部１３４は、マイクロコンピュータ１４０からの指示に基づいて、記録媒体に記述されるメタデータを検出し、マイクロコンピュータ１４０に供給する。
マルチプレクサ１３５は、マイクロコンピュータ１４０により制御され、映像音声入力部１３１から供給される映像データと、マイクロコンピュータ１４０から供給されるメタデータとを多重化し、記録部１３４へと供給する。
メモリ１３６は、消去及び書込が可能な、いわゆるＥＰＲＯＭ（Ｅｒａｓａｂｌｅ  ａｎｄ  Ｐｒｏｇｒａｍｍａｂｌｅ  ＲＯＭ）であって、マイクロコンピュータ１４０からの指示に基づいて、データ管理装置１０３から供給されるメタデータを記憶する。またメモリ１３６は、マイクロコンピュータ１４０から指示に基づいて、記憶しているメタデータをマルチプレクサ１３５へと供給する。
ブルートゥースデバイス１３７は、携帯型電話機１０２との間の無線インターフェイスとして使用されるものであり、マイクロコンピュータ１４０に制御され、携帯型電話機１０２を介して、データ管理装置から供給されるメタデータを受信する。また、ブルートゥースデバイス１３７は、マイクロコンピュータ１４０より出力されるテープ位置情報を携帯型電話機１０２を介してデータ管理装置に供給する。
ブルートゥースとは、Ｅｒｉｃｓｓｏｎ社（スウェーデン）によって規定された２．４ＧＨｚ帯域の電波を使用した近距離無線通信である。ブルートゥースの最大転送速度は、１Ｍｂｉｔ／ｓｅｃであり、変調方式は、ＧＦＳＫ（Ｇａｕｓｓｉａｎ  Ｆｒｅｑｕｅｎｃｙ  Ｓｈｉｆｔ  Ｋｅｙｉｎｇ）が用いられている。また、ブルートゥースの最大伝送距離は、１０ｍ（出力：１ｍＷ）と１００ｍ（出力：１００ｍＷ）とがあり、最大伝送距離は、用途により使い分けることができる。
ＧＰＳ受信部１３８は、アンテナ１３９を介してＧＰＳ信号を受信し、撮像装置１０１の位置情報を検出している。位置情報は、緯度、経度、高度等として表される。
マイクロコンピュータ１４０は、図示しないがＣＰＵ（Ｃｅｎｔｒａｌ  Ｐｒｏｃｅｓｓｉｎｇ  Ｕｎｉｔ）、ＲＡＭ（Ｒａｎｄｏｍ−Ａｃｃｅｓｓ  Ｍｅｍｏｒｙ）、及びＲＯＭ（Ｒｅａｄ  Ｏｎｌｙ  Ｍｅｍｏｒｙ）を内蔵し、上述の各構成を統括して制御するほか、操作部１３２からの信号に対応してデジタルビデオカメラ全体の動作の制御を行う。また、撮影に関する種々のメタデータを生成する。
一方、データ管理装置１０３は、例えば電話回線網等に接続されて統合管理装置１１１と通信が可能なコンピュータであり、例えば撮像装置１０１を使用して撮影を行う撮影者が所属する放送局等に設置されているものである。データ管理装置１０３に備えられるマイクロコンピュータ１４１は、データ管理装置１０３の全体の動作を統括して制御している。マイクロコンピュータ１４１は、通信部１４２を制御して、携帯型電話機１０２を介して撮像装置１０１からの信号を受信すると、携帯型電話機１０２の電話番号を識別して、発信元となっている携帯型電話機１０２を所有する撮影者が使用している撮像装置１０１を認識する。データ管理装置１０３は、認識した撮像装置１０１に対応するメタデータを携帯型電話機１０２へと送信する。
送信される個々の撮像装置１０１に対応するメタデータは、予め図８に示す統合管理装置１１１等において入力される。これらのメタデータは、例えば統合管理装置１１１に備えられる図示しないＨＤＤに蓄積されている。
図８に示す記録再生装置１０６は、映像データ及び音声データを再生できる装置であり、記録媒体としては、特にデジタルビデオテープレコーダが用いられる。図１８を用いて、記録再生装置１０６の構成を説明する。
記録再生装置１０６は、ＳＤＩフォーマットで供給される映像データ、音声データ及びメタデータを入力する入力端子１５１と、映像データ、音声データ及びメタデータをＳＤＩフォーマットで出力する出力端子１５２と、ＳＤＩフォーマットで入力されたデータから映像データ、音声データ及びメタデータを抽出する入力処理部１５３と、データの圧縮符号化、及び復号（伸張）処理を行う圧縮符号化／復号部１５４と、圧縮符号化／復号部１５４において復号された信号をＳＤＩフォーマットへと変換して出力端子１５２へと供給する出力処理部１５５とを備えている。圧縮符号化／復号部１５４は、離散コサイン変換を用いた圧縮符号化処理を行っている。
記録再生装置１０６は、更に、エラー訂正処理部１５６と、チャネルコーディング部１５７と、記録再生部１５８とを備えている。エラー訂正処理部１５６は、圧縮符号化／復号部１５４によって圧縮符号化された信号に対してエラー訂正コードの付加を行うとともに、記録媒体から再生して得られた信号に対してエラー訂正処理を行って映像信号符号化／復号部１５４に出力する。チャネルコーディング部１５７は、エラー訂正処理部１５６によってエラー訂正コードが付加された信号に対して、記録媒体に記録するのに適した符号化処理を行うとともに、記録媒体から再生した映像信号に対して符号化処理に対応する復号処理を行いエラー訂正処理部１５６へ出力する。記録再生部１５８は、チャネルコーディング部１５７によって符号化された信号を記録媒体に記録するとともに、記録媒体に記録された信号を再生してチャネルコーディング部１５７へと出力する。
記録再生装置１０６は、更に、記録媒体筐体１０５のローディング及び記録再生部１５８の駆動を行う機構部１５９と、使用者から各種の操作入力が行われる操作部１６０と、記録媒体筐体１０５に備えられた不揮発性メモリ１０５ａの端子１０５ｂと接続される端子１６２と、コントローラ１６２とを備えている。コントローラ１６２は、圧縮符号化／復号部１５４、エラー訂正処理部１５６、チャネルコーディング部１５７、機構部１５９、操作部１６０及び端子１６１に接続されている。
記録再生装置１０６において、操作部１６０には、詳細は図示しないが、所定の指示を行うための複数のスイッチが備えられている。複数のスイッチには、各シーン又はテイクにおける有効領域の開始点（マークイン点）を指示するスイッチ、有効領域の終了点（マークアウト点）を指示するスイッチ、各シーン又はテイクに対するＯＫ、ＮＧ（Ｎｏ  Ｇｏｏｄ）を指示するスイッチ、テイク番号を指示するテイクスイッチ等、及び他のメタデータの入力を行うスイッチが備えられている。
記録再生装置１０６におけるコントローラ１６２は、図示しないがＣＰＵ（Ｃｅｎｔｒａｌ  Ｐｒｏｃｅｓｓｉｎｇ  Ｕｎｉｔ）、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）、入出力部等で構成され、ＲＡＭを作業領域として、ＲＯＭに格納されたプログラムを実行することによって、タイムコード信号に基づいて記録再生装置１０６全体の作業を統括して制御している。
上述した記録再生装置１０６では、記録媒体に記録された映像データを再生する際や再生された映像データを素材蓄積装置１０８へと記録する際に、操作部１６１からの操作によって必要に応じてマークイン点、マークアウト点及び他のメタデータ等の識別情報が入力できる。識別情報は、映像データとともに不揮発性メモリ１０５ａ及び記録媒体に記録される。
図８に示す素材蓄積装置１０８は、記録再生装置１０６から再生された映像データ、音声データ及びメタデータ等の付加情報を一時的に蓄積する記憶装置である。図１９を用いて、素材蓄積装置１０８の構成を説明する。図１９において実線は、映像データ、音声データ及びメタデータが伝送されることを示し、破線は、制御信号の流れを示している。
素材蓄積装置１０８は、ＳＤＩフォーマットによって伝送される映像データ、音声データ及びメタデータを入力して分離する入力処理部１７１と、映像データ及び音声データを符号化するエンコーダ（ＥＮＣ）１７２と、映像データ、音声データ及びメタデータ等の付加情報を記録する記録部１７３と、上述のエンコーダに対応する復号を行うデコーダ（ＤＥＣ）１７４と、復号した映像データ及び音声データとメタデータとをＳＤＩフォーマットで出力する出力処理部１７５と、各部を統括して制御するコントローラ１７６とを備える。
入力処理部１７１は、コントローラ１７６に制御されて、ＳＤＩフォーマットで入力されるデータから、映像データ、音声データ及びメタデータを抽出し、映像データ及び音声データをエンコーダ１７２へと供給する。また、抽出したメタデータをコントローラへと供給する。
エンコーダ１７２は、コントローラ１７６に制御されて、フレーム間相関にて圧縮するＭＰＥＧ方式やフレーム内圧縮するＤＶ、ＪＰＥＧ方式に基づいて入力処理部１７１から入力した映像データ及び音声データを符号化し、得られた信号を記録部１７３へと供給する。
記録部１７３は、例えばＨＤＤ（Ｈａｒｄ  Ｄｉｓｋ  Ｄｒｉｖｅ）等の記録媒体であって、映像データ、音声データ及びメタデータ等の付加情報を記録する。記録部１７３は、エンコーダ１７２において符号化された圧縮ストリームを入力し、記録する。また、コントローラ１７６から供給されるメタデータ等の付加情報を入力して記録する。このような記録部１７３は、映像データ及び音声データ等のＡ／Ｖ（Ａｕｄｉｏ／Ｖｉｄｅｏ）データを記録するためのＡ／Ｖデータ記録部と、メタデータ等の付加情報を記録するための付加情報記録部とを有していてもよい。
デコーダ１７４は、コントローラ１７６に制御されて、エンコーダ１７２において符号化されたデータに対して、エンコーダ１７２における符号化に対応した復号処理を行って、出力処理部１７５へと供給する。
出力処理部１７５は、コントローラ１７６に制御されて、デコーダ１７４において復号された映像データ及び音声データとコントローラ１７６からのメタデータとを入力し、これらデータをＳＤＩフォーマットへと変換して出力する。
コントローラ１７６は、図示しないがＣＰＵ、ＲＯＭ、ＲＡＭ、入出力部、メモリ等で構成され、ＲＡＭを作業領域として、ＲＯＭに格納されたプログラムを実行することによって、素材蓄積装置１０８全体の作業を統括して制御している。コントローラ１７６は、入力処理部１７１から供給されるメタデータを管理している。コントローラ１７６は、必要に応じてメタデータの内容を変更したり、新たなメタデータを生成したりしている。また、コントローラ１７６は、メタデータを出力処理部１７５へと送る。
図８に示す編集装置１０９は、映像データ及び音声データ（素材データ）を編集するための編集装置であって、メタデータに基づいて素材を編集する。図２０に編集装置１０９の構成を説明する。
編集装置１０９は、各種編集のための操作入力を行う入力操作部１８１と、ＳＤＩフォーマットで伝送される素材データを入力する入力処理部１８２と、映像データ、音声データ及びメタデータを記録する記録部１８３と、音声データを加工する音声ミキサ１８４と、映像データに特殊効果処理を施す特殊効果処理部１８５と、映像データ、音声データ及びメタデータをＳＤＩフォーマットで出力する出力処理部１８６と、各部を統括して制御する制御部１８７と、編集結果をメタデータとして記憶するメモリ１８８とを備えている。
入力操作部１８１は、当該編集装置１０９に接続されたモニタに表示されたＧＵＩ（Ｇｒａｐｈｉｃａｌ  Ｕｓｅｒ  Ｉｎｔｅｒｆａｃｅ）等から素材の編集を行うためのマウスやキーボードを示している。入力操作部１８１から、各種編集のための操作、及び記事原稿の作成、ＣＧ合成画面の編集等が行われる。入力操作は、入力操作部１８１によって行われるほか、図８に示す統合管理装置１１１から行うことも可能である。
入力処理部１８２は、制御部１８７に制御されて、ＳＭＰＴＥにおいて規格化されているＳＤＩフォーマットで伝送された素材蓄積装置１０８からのデータを入力し、映像データ、音声データ及びメタデータを抽出して後述の記録部１８３へと供給する。抽出された各データのうち、映像データ及び音声データは、図示しない圧縮処理部において、フレーム間相関を利用したＭＰＥＧ方式、或いはフレーム内圧縮であるＪＰＥＧ方式及びＤＶ方式等で圧縮されるようになっていてもよい。また、入力処理部１８２は、メタデータに基づいて、図示しない記録サーバから地図等のＣＧ画面を抽出する。
記録部１８３は、ＨＤＤ（Ｈａｒｄ  Ｄｉｓｋ  Ｄｒｉｖｅ）や、複数のＨＤＤから構成されるＲＡＩＤ（Ｒｅｄｕｎｄａｎｔ  Ａｒｒａｙ  ｏｆ  Ｉｎｅｘｐｅｎｓｉｖｅ  Ｄｉｓｋｓ）のような記録媒体であり、入力処理部１８２からの映像データ、音声データ及びメタデータを記録する。
音声ミキサ１８４は、記録部１８３から複数チャンネルの入力系統によって供給される複数の音声データを同時に入力し、音声データを加工することができる。例えば一方の音声データの音声レベルを徐々に下げながら他方の音声データの音声レベルを徐々にあげることによって一方の音声データから他方の音声データへとなめらかに移行することができる。音声ミキサ１８４は、加工された音声データを記録部１８３へと供給する。
特殊効果処理部１８５は、記録部１８３から複数チャンネルの入力系統によって供給される複数の映像データを同時に入力することができる。音声ミキサ１８４は、例えば、フェードイン・フェードアウト等の特殊効果を映像データに施すものである。また、特殊効果処理部１８５は、特殊効果処理を加えた映像データを記録部１８３へと供給する。
出力処理部１８６は、制御部１８７に制御され、編集された映像データ、音声データ及びメタデータを記録部１８３から入力しＳＤＩフォーマットへと変換して出力する。
制御部１８７は、上述の各部を統括して制御するほか、入力処理部１８２から供給されるメタデータを管理し、必要に応じてメタデータの内容を変更したり、新たなメタデータを生成したりする。また、制御部１８７は、出力処理部１８６へとメタデータを送る。
メモリ１８８は、音声ミキサ１８４及び特殊効果処理部１８５にて行った編集結果を当該編集結果に基づくメタデータであるＥＤＬ＿Ｉｎｆｏｒｍａｔｉｏｎ（ＥＤＬ；Ｅｄｉｔｉｎｇ  Ｄｅｃｉｓｉｏｎ  Ｌｉｓｔ）として記憶する。また、入力操作部１８１において入力された記事原稿に基づくメタデータ、或いは記事内容を示したメタデータであるＳｃｒｉｐｔとして記憶する。作成されたＥＤＬ＿Ｉｎｆｏｒｍａｔｉｏｎ及びＳｃｒｉｐｔは、出力処理部１８６へと送られる。ここで編集結果とは、記録媒体上のイン点及びアウト点を、Ｒｅｅｌ  Ｎｕｍｂｅｒ、或いはタイムコードで表した編集点に関する情報を示している。
図８に示すモニタ１０７は、ＳＤＩフォーマットで伝送される映像データ、音声データ及びメタデータを入力し、記録再生装置１０６で再生される映像及び操作に関する各種の表示を行うものである。
図８に示すモニタ１１０は、ＳＤＩフォーマットで伝送される映像データ、音声データ及びメタデータを入力し、編集装置１０９で行われる編集に必要な情報及び映像等の表示を行う。
図８に示す統合管理装置１１１は、当該画像処理システム１における映像データ、音声データ、メタデータ等の付加情報及びニュース番組制作における全体の情報を統括管理するものであり、図１に示すＮＣＳ６０に相当するものである。具体的には、統合管理装置１１１は、オンエア項目の管理及びどの素材がどの段階の処理を受けているか等の素材管理を行うほか、当該統合管理装置１１１に接続される入出力端末１１３を介して、他の放送局等との間における素材の売買等の管理を行う。また、当該統合管理装置１１１と接続された記者用端末１１２から、記者によって作成された記事を入力する。
図８に示す記者用端末１１２及び入出力端末１１３は、統合管理装置１１１とホスト、クライアントの関係にあり、ホストコンピュータである統合管理装置１１１に接続されて、統合管理装置１１１に対する種々の入出力作業が可能である。入出力端末１１３は、外部のネットワークと接続され、外部のネットワークに存在する他の端末との間で各種データの交換、場合によっては、各種データの売り買いを行うことができる。各種データの交換・売買等の情報は、統合管理装置１１１によって管理されている。
図８に示す保管用記録装置１１４は、編集された放送用素材を保管するための記録装置であり、例えばＨＤＤのような記録媒体を備えている。ここでは図示しないが、保管用記録装置１１４は、放送用素材の長期保管を行う長期記録部と、一定期間の間に再び使用される可能性のある放送用素材を一定期間保管する仮記録部とを備えていてもよい。保管用記録装置１１４は、編集装置１０９、統合管理装置１１１等からの要求に応じて、記録している放送用素材が自由に取り出せるようになっている。
図８に示すオーサリング端末１１５は、例えば、出演者が着ている服装や、装着している時計に関するショッピング情報等、時間軸上で放送用素材とは異なる情報を付加するための端末である。
図８に示すメディアキャスタ１１６は、オーサリング端末１１５で付加された時間軸の異なる情報に関して、例えば服や時計を販売している店舗のホームページアドレス等の付加情報を付加するための端末である。
図８に示すマルチプレクサ１１７は、上述のメディアキャスタ１１６からの付加情報に関する信号と、編集装置１０９からのＳＤＩフォーマットの放送用素材の信号とを混合し、最終的に送出される、すなわち視聴者が視る番組構成としての放送用素材を生成する。マルチプレクサ１１７は、この放送用素材を送出部１１９へと供給する。
図８に示す送出用映像音声記録装置１１８は、編集装置１０９から送られるＳＤＩフォーマットで構成された送出用の放送用素材を一時的に記録するものであり、ＨＤＤのような記録媒体を備えている。送出用映像音声記録装置１１８は、送出部１１９に対して放送用素材を供給する。
送出部１１９は、マルチプレクサ１１７及び送出用映像音声記録装置１１８から供給される放送用素材を送出する。送出部１１９は、ＳＤＩフォーマットで供給されるデータのうち、メタデータに関して、特に受信側で必要と思われるメタデータを抽出して映像データ及び音声データとともに送出している。
以上示した構成が放送用素材を制作して送信する放送局等に相当するのに対し、セットトップボックス１２０及びテレビジョン受像機１２１は、放送局等から供給される放送用素材を受信する側に備えられる構成である。
セットトップボックス１２０は、各種の通信端末をつなぐための接続装置であり、双方向通信機能、インターネット接続機能、ＣＡＴＶ接続機能等を備えた受信装置である。セットトップボックス１２０は、送出部１１９から送出される放送用素材の電波を受信し、テレビジョン受像機１２１へと供給する。テレビジョン受像機１２１は、供給された信号を処理して表示する。
続いて、上述の画像処理システム１を用いてニュース番組を制作する際の各装置における動作を説明する。まず、図１１に示す計画工程１１の段階で、取材に関する内容が決定される。この取材内容に基づいて、図８に示す統合管理装置１１１において、取材に関するメタデータの入力が行われる。統合管理装置１１１では、取材に向かう撮像装置１０１に対して上記メタデータを伝送するために、上記メタデータをデータ管理装置１０３へと伝送する。データ管理装置１０３によって、撮像装置１０１へとメタデータが伝送される。
まず、図２１を用いて、撮像装置１０１の動作について説明する。撮像装置１０１を使用して撮影を行う使用者によって所定のタイミングで操作部１３２が操作されてメタデータの転送要求が指示されると、撮像装置１０１のマイクロコンピュータ１４０は、ステップＳ１において、ブルートゥースデバイス１３７を制御して携帯型電話機１０２を介してデータ管理装置１０３に対してメタデータの転送を要求する。
転送されるメタデータは、図１に示す計画工程１１の段階で決定されたメタデータであり、撮影される取材毎に固有のデータである。具体的には、図９乃至図１１に示す取材地名、撮影者、ジャーナリスト、ディレクタ、内容に関する記述、取材開始日時、取材終了日時、プロデューサ、ニュース取材項目、ＮＣＳ  ＩＤを表すメタデータがこれに相当する。
ただし、上述のメタデータのうち、内容に関する記述、ニュース取材項目以外のメタデータは、仮に入力されるメタデータであって、後述する工程で適宜変更される。
このメタデータは、取材前の取材計画に基づいて、素材管理装置１０８から、取材開始前に撮像装置毎に入力され、図８には図示しない素材管理装置１０８の記録部に予め記憶されているものである。
個々の撮像装置は、予め割り当てられ、メモリ１３６に記憶されているＩＤ、又は当該撮像装置１０１とともに対向される携帯型電話機１０２の電話番号等により認識される。したがって、複数の撮像装置のメタデータは、撮像装置の機材ＩＤ又は携帯型電話機１０２の電話番号毎に管理されている。
図２２に示すメタデータは、携帯型電話機の電話番号が、例えば「０９０−××××−××××」の携帯型電話機１０２とともに取材に使用されている撮像装置１０１のものを示している。
この場合、取材開始日時として、「２０００／３／３  ９：００−１０：００」、「２０００／３／３  １３：００−１４：００」及び「２０００／３／３  １７：００−１９：００」が示されており、それぞれに対応するＮＣＳ  ＩＤが、「０００１］、「０００２」、「０００３」のように示されている。各々のＮＣＳ  ＩＤに対応して、ニュース取材題目として「首相インタビュー」、「街頭インタビュー」及び「記者クラブ取材」が示されている。同様に、撮影者、ジャーナリストが対応して示されている。
ここで、ステップＳ１の工程において、撮像装置１０１からメタデータの転送が要求されたときのデータ管理装置１０３における処理について図２３を参照して説明する。
携帯型電話機１０２を介して、撮像装置１０１からのメタデータの要求が受信されると、ステップＳ２１において、データ管理装置１０３は、受信したメタデータを発信している携帯型電話機１０３の電話番号又は撮像装置１０１の機材ＩＤを認識する。
ステップＳ２２において、データ管理装置１０３は、受信した携帯型電話機１０２の電話番号に対応する撮像装置１０１のメタデータのうち、受信した時刻に対応したメタデータを携帯型電話機１０２に送信する。例えば、撮像装置１０１が２０００年３月３日の９：００にメタデータの転送を要求したとすると、データ管理装置１０３は、この時刻に対応するＮＣＳ  ＩＤ「０００１」に対応するニュース取材題目「首相インタビュー」、撮影者及びジャーナリストを表すメタデータを、携帯型電話機１０２を介して撮像装置１０１に送信する。
ここで図２１に戻って説明する。ステップＳ２において、ブルートゥースデバイス１３７は、携帯型電話機１０２を介してデータ管理装置１０３からのメタデータを受信し、受信したことをマイクロコンピュータ１４０に通知する。
ステップＳ３において、マイクロコンピュータ１４０は、ブルートゥースデバイス１３７からメタデータを受信したことを知らせる通知を受けて、ブルートゥースデバイス１３７で受信されたメタデータをメモリ１３６に一時的に記憶する。
ステップＳ４において、マイクロコンピュータ１４０は、録画が開始されたか否かを判定し、録画が開始されていないとき判定された場合、ステップＳ５へと進んで、録画スタンバイの状態が解除された場合にマイクロコンピュータ１４０は、その処理を終了する。一方、録画スタンバイが解除されなかった場合には、ステップＳ４の工程に戻る。すなわち、撮像装置１０１は、録画スタンバイが解除されるまで、ステップＳ４、Ｓ５の処理を繰り返し、録画開始待ちの状態となる。
ステップＳ４において、録画が開始されたと判定されると、ステップＳ６へと進み、マイクロコンピュータ１４０は、記録部１３４を制御し、記録媒体の記録開始点のタイムスタンプを読み出してメモリ１３６に記憶させるとともに、ブルートゥースデバイス１３７を制御して、携帯型電話機１０２を介して、データ管理装置１０３に送信する。
また、マイクロコンピュータ１４０は、画像音声入力部１３１を制御し、画像データをマルチプレクサ１３５に出力させるとともに、メモリ１３６を制御し、メモリ１３６に記憶されているメタデータをマルチプレクサ１３５に出力させる。
ステップＳ７において、マイクロコンピュータ１４０は、マルチプレクサ１３５を制御し、画像及び音声データとメタデータとを多重化させてＳＤＩフォーマットとして記録部１３４に供給する。
ステップＳ８において、記録部１３４は、マルチプレクサ１３５から供給される画像データと音声データとメタデータとが多重化されたＳＤＩフォーマットのデータを記録媒体に記録する。
ステップＳ９において、マイクロコンピュータ１４０は、録画が終了されたか否かを判定し、録画が終了されていない場合は、録画終了待ちの状態、すなわち録画状態を継続する。
一方、ステップＳ９において、録画が終了されたと判定されると、ステップＳ１０において、マイクロコンピュータ１４０は、記録部１３４を制御し、記録媒体の記録終了点を示すタイムスタンプを読み取り、ブルートゥースデバイス１３７を制御し、携帯型電話機１０２を介して、読み取った記録開始点及び記録終了点のテープ位置情報をデータ管理装置１０３に送信し処理を終了する。
図８に示す記録媒体は、例えばテープ状の磁気記録媒体であり、特に、デジタルビデオテープを示している。記録媒体は、映像及び音声をデジタル化した映像データ及び音声データとして記録できるものであり、映像データ及び音声データのほかにメタデータ等の補助データを記録できる領域を備えたものである。また、記録媒体筐体１０５に不揮発性メモリ１０５ａを付設し、不揮発性メモリ１０５ａに補助データを記憶するようにしてもよい。
続いて、データ管理装置１０３が、撮像装置１０１からテープ位置情報を受信したときの処理について説明する。データ管理装置１０３は、図２１のステップＳ１０により撮像装置１０１よりテープ位置情報を受信すると、図２４に示すステップＳ３１において、受信したテープ位置情報の送信元となる携帯型電話機１０２の電話番号を認識する。
ステップＳ３２において、データ管理装置１０３は、図示しないＨＤＤに記録されているメタデータのうち、認識した電話番号に対応するメタデータに、上述のテープ位置情報を付加して記録する。
以上の説明では、取材地名、撮影者、ジャーナリスト、ディレクタ、内容に関する記述、取材開始日時、取材終了日時、プロデューサ、ニュース取材項目、ＮＣＳ  ＩＤのなかから、撮影者、ジャーナリスト、取材開始日時、ニュース取材項目、ＮＣＳ  ＩＤを例示して説明したが、ディレクタ、内容に関する記述、取材終了日時、プロデューサに関しても同様である。
また、撮像装置１０１によって生成され、自動的に付加して入力されるメタデータがある。具体的には、図９乃至図１１に示すメタデータのうち、取材位置（ＧＰＳ緯度）、取材位置（ＧＰＳ経度）、取材位置（ＧＰＳ高度）、取材位置（ＧＰＳ時刻）、取材地名、ＵＭＩＤ（ビデオ）、ＵＭＩＤ（オーディオ）、撮影者、ジャーナリスト、グットショットマーカ、カメラセットアップ情報、機材ＩＤ、テイクナンバ、素材開始タイムコード、内容に関する記述、オーディオチャンネル割、オーディオタイプ、取材開始日時、取材終了日時、ファイル所有権者、ショットナンバ、収録端末、収録ポート、リールナンバ、権利、ニュース取材題目を表すメタデータである。
このように、記録媒体及びデータ管理装置１０３に素材に関する情報を表すメタデータとテープ位置情報とを記録することによって、記録媒体に記録される素材データを直ちに検索して編集することができる。
撮像装置１０１によって収集され、記録媒体に記録された素材データ及びメタデータは、図８に示す記録再生装置１０６によって再生され、ＳＤＩフォーマットのデータとして素材蓄積装置１０８へと供給される。素材蓄積装置１０８において、ＳＤＩフォーマットで伝送された映像データ、音声データ及びメタデータはそれぞれ分離され記録部１７３へと記録される。
コントローラ１７６は、必要に応じてメタデータの内容を変更し、新たなメタデータを生成する。新たに生成されるメタデータとしては、図９乃至図１１に示すＵＭＩＤ（ビデオ）、ＵＭＩＤ（オーディオ）、ＵＭＩＤ（データ）、ＵＭＩＤ（システム）、グッドショットマーカ、テイクナンバ、素材開始タイムコード、内容に関する記述、有効期限、オーディオチャンネル割、オーディオタイプ、ソース情報、収録フォーマット、圧縮率、オーディオチャンネル数、オーディオ圧縮率、オーディオサンプリング周波数、オーディオデータサイズ、収録方法、マテリアルＩＤ、サブキー、ファイルの長さ、取材開始日時、取材終了日時、収録オペレータ、ファイル所有権者、ショットナンバ、取材期間、ＧＯＰサイズ、解像度、エッセンスサイズ、オブジェクトタイプ、インデックス、インデックスの種類、インデックスメモ、シーンナンバ、リールナンバ、権利、ＮＣＳ  ＩＤ、ファイルステータスを表すメタデータがある。
以上のように、素材蓄積装置１０８は、素材を一時的に蓄える際、上述のようなメタデータを素材蓄積装置１０８の記録部１７３及び記録媒体に付加して入力することにより、明確に素材を識別でき、素材データを直ちに検索して編集することができる。
素材蓄積装置１０８に一時的に記録される映像データ、音声データ及びメタデータは、必要に応じたタイミングで編集装置１０９へと送られる。
一方、統合管理装置１１１に接続される記者用端末１１２において、記者により粗編集及び記事作成が行われる。記者用端末１１２を介して、粗編集が行われ、作成された記事が入力される際に、図９乃至図１１に示すエディティングデシジョンリスト、スクリプトを表すメタデータが付加されて入力される。
また、編集装置１０９では、図７に示したように、上述のメタデータのうち、例えば取材位置（ＧＰＳ緯度）、取材位置（ＧＰＳ経度）、取材位置（ＧＰＳ高度）、取材時刻（ＧＰＳ時刻）、ニュース取材題目、スクリプトを表すメタデータ使用して、ＣＧ合成画面を自動的に作成する。記者用端末１１２では、自動的に作成されたＣＧ合成画面に基づいてジャーナリストが粗編集を行いＣＧ合成画面を自由に編集することもできる。
自動的に合成されたＣＧ合成画面は、編集者がＧＵＩ（Ｇｒａｐｈｉｃａｌ  Ｕｓｅｒ  Ｉｎｔｅｒｆａｃｅ）画面を操作することによって更に編集される。ＧＵＩ画面における編集の動作を図２５、図２６及び図２７を用いて説明する。
図２４は、自動的に作成されたＣＧ合成画面を編集するためのＧＵＩ画面２００を模式的に示している。図２５において、画像２０１は、ＣＧ合成を開始するフレームを示している。画像２０２は、ＣＧ合成を終了するフレームを示している。合成画像２０３は、自動的に作成されたＣＧ合成画面を示している。手動選択ボタン２０４は、ＣＧが合成される位置変更を手動で行うための画面に切り換える選択を行うためのボタンである。テンプレート選択ボタン２０５は、ＣＧの合成位置を変更するためのボタンである。テンプレート２０６、２０７、２０８、２０９、２１０及び２１１は、ＣＧの合成位置の各パターンを示している。図２５においては、枠が付されているテンプレート２０８の位置パターンで表示されている。スクロールバー２１２は、テンプレート２０６乃至２１１を選択するためのスクロールバーある。
ＣＧ合成画面の編集は、図２６及び図２７に示す工程に基づいて行われる。図２６及び図２７に示す工程は、テンプレート選択ボタン２０５が選択されて、用意されたテンプレートに基づいてＣＧ合成画面を表示する処理について示している。
画像データに関する地図を合成して表示する場合の処理を、図２６を用いて説明する。ステップＳ４０において、画像データと位置情報を表すメタデータとが入力される。続いて、ステップＳ４１において、メタデータが示す位置情報に基づいて、図示しないが地図等を記録している記録サーバから位置情報に対応する地図が読み出される。ステップＳ４２において、自動的にＣＧ合成画面が作成される。
続いて、ステップＳ４３において、テンプレートの変更が指示されると、ステップＳ４４において、指示に従ってテンプレートに基づいたＣＧ合成画面が表示される。
一方、画像データに関する時刻情報、或いはタイトルを合成して表示する処理を図２７を用いて示す。時刻情報、タイトル等は、時刻情報を表すメタデータ及びタイトルを表すメタデータが使用される。すなわち、ステップＳ５０において、画像データと時刻情報及びタイトル情報としてのメタデータとが入力される。続いて、ステップＳ５１において、自動的にＣＧ合成画面が作成される。
続いて、ステップＳ５２において、テンプレートの変更が指示されると、ステップＳ５３において、指示に従ってＣＧ合成画面が変更されて表示される。
例えば、時刻情報及びタイトルの字体、文字サイズ等の情報を記録サーバから読み出して表示する場合もある。
上述のように、ＧＰＳによって検出される位置情報を示すメタデータと、記事内容を示すメタデータとを使用することによって、記録サーバから地図情報や画面に表示する文字等を抽出し、抽出した文字等を用いて自動的にＣＧ合成画面を行うことが可能となる。
粗編集に続いて、編集装置１０９において本編集が行われる。本編集では、粗編集された素材を、実際に放送する状態にするために更に厳密な編集が行われる。編集にともなって、具体的には、図９乃至図１１に示すメタデータのうち、ディレクタ、プロデューサ、エディティングデシジョンリストを表すメタデータが新たに入力される。上記以外のメタデータは、前段階で使用されたメタデータ、或いは前段階で入力されたメタデータが再度使用されるものである。本編集では、メタデータとして記述された種々の情報が編集に用いられる。
記者用端末１１２において入力されたＥＤＬ＿Ｉｎｆｏｒｍａｔｉｏｎ、Ｓｃｒｉｐｔを表すメタデータは、編集装置１０９における本編集処理で確定される。
編集装置１０９において編集された放送用素材は、マルチプレクサ１１７において、オーサリング端末１１５及びメディアキャスタ１１６で付加される他の情報と混成され、図８における送出部１１９へと送られる。
送出部１１９から放送用素材を送出する処理は、図１における放送工程４４に相当するものである。送出部１１９では、変更日時、ディストリビューションフラグを表すメタデータが新たに入力される。上記メタデータは、前段階で使用されたメタデータ、或いは前段階で入力されたメタデータが、放送工程４４において再度使用されるものである。
送出部１１９から送出される際には、図９乃至図１１に示されるメタデータのうち、受信側で必要とされるメタデータが抽出されて送信されている。
放送用素材は、送出された後、保管用記録装置１１４に記録され、統合管理装置１１１によって管理される。保管用記録装置１１４に放送用素材を記録する際に、新たに入力されるメタデータとしては、保管日時、アーカイブオペレータ、アーカイブ端末、アーカイブフラグ、コンパイルフラグがある。
上記以外のメタデータは、前段階で使用されたメタデータ、或いは前段階で入力されたメタデータが、保管段階において再度使用される。
以上、詳細に説明した画像処理システム１は、放送局においてニュース番組を制作する際に、撮影前段階１０、撮影制作段階２０、撮影後処理段階３０、放送段階４０、保管段階５０の各段階において、映像データ及び音声データを識別するためのメタデータが記録媒体或いは記録装置に記録されるため、撮影者及び編集者の負担を軽減することができる。また、編集者が素材を扱う際、素材データを直ちに検索して編集できる。
以上の説明においては、撮像装置１０１と携帯型電話機１０２との間の通信には、ブルートゥースデバイス１３７を使用した例について説明したが、シリアルポートとモデムとを配置し撮像装置１０１と携帯型電話機１０２との間の通信を有線で行ってもよい。この場合も、撮像装置１０１及びデータ管理装置１０３での処理は、以上に説明した場合と同様である。
また、上述した一連の処理は、ハードウェアにより実行させることもできるが、ソフトウェアによっり実行させることもできる。一連の処理をソフトウェアにより実行させる場合には、そのソフトウェアを構成するプログラムが専用のハードウェアに組み込まれているコンピュータ、または各種プログラムをインストールすることで各種の機能を実行させることが可能な、例えば汎用のパーソナルコンピュータ等に記録媒体からインストールされる。
この記録媒体は、図１７に示すように、撮像装置１０１にＨＤＤ１３３として予め組み込まれた状態でユーザに提供されるだけでなく、プログラムが記録された記録媒体として提供される。記録媒体としては、磁気ディスク、光ディスク、光磁気ディスク、若しくは半導体メモリ等の記録媒体がある。
産業上の利用可能性
本発明にかかる画像処理装置は、画像データを入力する入力部と、他の装置から送信されてくる撮影に関する撮影情報を受信する受信部と、受信部により受信された撮影情報と入力部により入力された画像データとを記録媒体に記録する記録部と、記録部により記録された画像データの編集点の記録媒体上の記録位置を検出する検出部と、検出部により検出された記録位置の情報を他の装置に送信する送信部とを備える。
したがって、本発明にかかる画像処理装置を、特に、放送局において番組を制作するシステムに適用した際、画像データ及び音声データを識別するための識別情報、著作権に関する情報等、種々の識別情報を画像データ及び音声データとともに記録媒体に記録できる。また、識別情報が画像データ及び音声データとともに記録されることによって、撮影者や編集者が撮影及び／又は編集を行う際の負担が軽減され利便性が向上する。
また、本発明にかかる画像処理方法は、画像データを入力する入力工程と、他の装置から送信されてくる撮影に関する撮影情報を受信する受信工程と、受信工程において受信された撮影情報と入力工程において入力された画像データとを記録媒体に記録する記録工程と、記録工程において記録された画像データの編集点の記録媒体上の記録位置を検出する検出工程と、検出工程において検出された記録位置の情報を他の装置に送信する送信工程とを含む。
したがって、本発明にかかる画像処理方法を、特に、放送局における番組の制作に適用した際、画像データ及び音声データを識別するための識別情報、著作権に関する情報等、種々の識別情報を画像データ及び音声データとともに記録媒体に記録できる。また、識別情報としてが画像データ及び音声データとともに記録されることによって、撮影者や編集者が撮影及び／又は編集を行う際の負担が軽減され利便性が向上する。
さらに、本発明は、画像データを記録媒体に記録する画像処理装置を制御するプログラムが記録された記録媒体であって、画像データの入力を制御する入力制御工程と、他の装置から送信されてくる撮影に関する撮影情報の取り込みを制御する取り込み制御工程と、取り込み制御工程において取り込みが制御された撮影情報と入力制御工程において入力された画像データとの記録媒体への記録を制御する記録制御工程と、記録制御工程において記録された画像データの編集点の記録媒体上の記録位置の検出を制御する検出制御工程と、検出制御工程において検出された記録位置の情報の他の装置への送信を制御する送信制御工程とを含む処理をコンピュータに実行させるプログラムが記録されている。
したがって、本発明にかかる記録媒体に記録されたプログラムを、特に、放送局における撮像装置に適用した際、画像データ及び音声データを識別するための識別情報、著作権に関する情報等、他の識別情報を画像データ及び音声データとともに記録媒体に記録できる。また、識別情報が画像データ及び音声データとともに記録されることによって、撮影者や編集者が撮影及び／又は編集を行う際の負担が軽減され利便性が向上する。
さらにまた、本発明にかかる画像処理装置は、他の装置による撮影に関する撮影情報を入力する入力部と、入力部により入力された撮影情報を他の装置に対応付けて記憶する記憶部と、記憶部に記憶された撮影情報を他の装置に送信する送信部と、他の装置から送信され記録媒体に記録された画像データの編集点の記録媒体上の位置情報を受信する受信部と、記憶部に記憶された撮影情報に対して受信部において受信した位置情報を付加する付加部とを備える。
したがって、本発明にかかる画像処理装置を、特に、放送局における撮像装置に適用した際、画像データ及び音声データを識別するための識別情報、著作権に関する情報等、他の識別情報を画像データ及び音声データとともに記録媒体に記録できる。また、識別情報が画像データ及び音声データとともに記録されることによって、撮影者や編集者が撮影及び／又は編集を行う際の負担が軽減され利便性が向上する。
さらにまた、本発明にかかる画像処理方法は、他の装置による撮影に関する撮影情報を入力する入力工程と、入力工程において入力された撮影情報を他の装置に対応付けて記憶する記憶工程と、記憶工程において記憶された撮影情報を他の装置に送信する送信工程と、他の装置から送信され記録媒体に記録された画像データの編集点の記録媒体上の位置情報を受信する受信工程と、記憶工程において記憶された撮影情報に受信工程において受信した位置情報を付加する付加工程とを含む。
したがって、本発明にかかる画像処理方法を、特に、放送局における撮像装置における画像処理に適用した際、画像データ及び音声データを識別するための識別情報、著作権に関する情報等、他の識別情報を画像データ及び音声データとともに記録媒体に記録できる。また、識別情報が画像データ及び音声データとともに記録されることによって、撮影者や編集者が撮影及び／又は編集を行う際の負担が軽減され利便性が向上する。
さらにまた、本発明は、他の画像処理装置が記録媒体に記録した画像データを管理する画像処理装置を制御するプログラムが記録された記録媒体であって、他の装置による撮影に関する撮影情報の入力を制御する入力制御工程と、入力制御工程において入力された撮影情報を他の装置に対応付けて記憶することを制御する記憶制御工程と、記憶制御工程において記憶された撮影情報を他の装置へ送信することを制御する送信制御工程と、他の装置から送信されてきた記録媒体に記録された画像データの編集点の記録媒体上の位置情報の取り込みを制御する取り込み制御工程と、記憶制御工程において記憶された撮影情報に取り込み制御工程において取り込まれた位置情報の付加を制御する付加制御工程とを含む処理をコンピュータに実行させるプログラムが記録されている。
したがって、本発明にかかる記録媒体に記録されたプログラムを、特に、放送局における撮像装置に適用した際、画像データ及び音声データを識別するための識別情報、著作権に関する情報等、他の識別情報を画像データ及び音声データとともに記録媒体に記録できる。また、識別情報が画像データ及び音声データとともに記録されることによって、撮影者や編集者が撮影及び／又は編集を行う際の負担が軽減され利便性が向上する。
さらにまた、本発明は、画像データを記録媒体に記録する第１の画像処理装置と、第１の画像処理装置が記録媒体に記録した画像データを管理する第２の画像処理装置とを備える画像処理システムにおいて、第１の画像処理装置は、画像データを入力する第１の入力部と、第２の画像処理装置から送信されてくる撮影に関する撮影情報を受信する第１の受信部と、第１の受信部により受信された撮影情報と第１の入力部により入力された画像データとを記録媒体に記録する記録部と、記録部により記録された画像データの編集点の記録媒体上の記録位置を検出する検出部と、検出部により検出された記録位置の情報を第２の画像処理装置に送信する第１の送信部とを備え、第２の画像処理装置は、第１の画像処理装置による撮影に関する撮影情報を入力する第２の入力部と、第２の入力部により入力された撮影情報を第１の画像処理装置に対応付けて記憶する記憶部と、記憶部に記憶された撮影情報を第１の画像処理装置に送信する第２の送信部と、第１の画像処理装置から送信されてきた記録媒体に記録された画像データの編集点の記録媒体上の位置情報を受信する第２の受信部と、記憶部に記憶された撮影情報に第２の受信部において受信して位置情報を付加する付加部とを備える。
したがって、本発明にかかる画像処理システムを、特に、放送局において番組を制作するシステムに適用した際、画像データ及び音声データを識別するための識別情報、著作権に関する情報等、種々の識別情報を画像データ及び音声データとともに記録媒体に記録できる。また、識別情報が画像データ及び音声データとともに記録されることによって、撮影者や編集者が撮影及び／又は編集を行う際の負担が軽減され利便性が向上する。
さらにまた、本発明にかかる画像処理方法は、第１の画像処理装置の画像処理方法は、画像データを入力する第１の入力工程と、第２の画像処理装置から送信されてくる撮影に関する撮影情報を受信する第１の受信工程と、第１の受信工程において受信された撮影情報と第１の入力工程において入力された画像データとを記録媒体に記録する記録工程と、記録工程において記録された画像データの編集点の記録媒体上の記録位置を検出する検出工程と、検出工程において検出された記録位置の情報を第２の画像処理装置に送信する第１の送信工程とを含み、第２の画像処理装置の画像処理方法は、第１の画像処理装置による撮影に関する撮影情報を入力する第２の入力工程と、第２の入力工程において入力された撮影情報を第１の画像処理装置に対応付けて記憶する記憶工程と、記憶工程において記憶された撮影情報を第１の画像処理装置に送信する第２の送信工程と、第１の画像処理装置から送信されてきた記録媒体に記録された画像データの編集点の記録媒体上の位置情報を受信する第２の受信工程と、記憶工程において記憶された撮影情報に第２の受信工程において受信した位置情報を付加する付加工程とを含む。
したがって、本発明にかかる画像処理方法を、特に、放送局において番組を制作するシステムに適用した際、画像データ及び音声データを識別するための識別情報、著作権に関する情報等、種々の識別情報を画像データ及び音声データとともに記録媒体に記録できる。また、識別情報が画像データ及び音声データとともに記録されることによって、撮影者や編集者が撮影及び／又は編集を行う際の負担が軽減され利便性が向上する。
さらにまた、本発明は、画像データを記録媒体に記録する第１の画像処理装置と、第１の画像処理装置が記録媒体に記録した画像データを管理する第２の画像処理装置とを備える画像処理システムを制御するプログラムが記録された記録媒体であって、第１の画像処理装置を制御するプログラムは、画像データの入力を制御する第１の入力制御工程と、第２の画像処理装置から送信されてくる撮影に関する撮影情報の取り込みを制御する第１の取り込み制御工程と、第１の取り込み制御工程において取り込まれた撮影情報と第１の入力制御工程において入力された画像データとの記録媒体への記録を制御する記録制御工程と、記録制御工程において記録された画像データの編集点の記録媒体上の記録位置の検出を制御する検出制御工程と、検出制御工程において検出された記録位置の情報を第２の画像処理装置へ送信することを制御する第１の送信制御工程とを含み、第２の画像処理装置を制御するプログラムは、第１の画像処理装置による撮影に関する撮影情報の入力を制御する第２の入力制御工程と、第２の入力制御工程において入力された撮影情報を第１の画像処理装置に対応付けて記憶することを制御する記憶制御工程と、記憶制御工程において記憶された撮影情報を第１の画像処理装置へ送信することを制御する第２の送信制御工程と、第１の画像処理装置から送信されてきた記録媒体に記録された画像データの編集点の記録媒体上の位置情報の取り込みを制御する第２の取り込み制御工程と、記憶制御工程において記憶された撮影情報に第２の取り込み工程において取り込まれた位置情報を付加することを制御する付加制御工程とを含む処理をコンピュータに実行させるプログラムが記録されている。
したがって、本発明にかかる記録媒体に記録されたプログラムを、特に、撮像装置における処理に適用した際、画像データ及び音声データを識別するための識別情報、著作権に関する情報等、他の識別情報をを画像データ及び音声データとともに記録媒体に記録できる。また、識別情報が画像データ及び音声データとともに記録されることによって、撮影者や編集者が撮影及び／又は編集を行う際の負担が軽減され利便性が向上する。
さらにまた、本発明にかかるデータ送信装置は、ニュース番組取材に関する付加情報を生成し、入力する入力部と、取材先の移動体に付加情報を無線により送信する送信部とを備える。
上記付加情報としては、取材場所の地名を示すギャザリング・ロケーション・プレイス（Ｇａｔｈｅｒｉｎｇ＿Ｌｏｃａｔｉｏｎ＿Ｐｌａｃｅ）、撮影者の名前を示すフォトグラファ（Ｐｈｏｔｏｇｒａｐｈｅｒ）、取材を担当する記者に関する情報を示すジャーナリスト・インフォメーション（Ｊｕｒｎａｌｉｓｔ  Ｉｎｆｏｒｍａｔｉｏｎ）、ニュース番組のディレクタを示すディレクタ（Ｄｉｒｅｃｔｏｒ）、撮影内容に関連するその他の情報が記述されるコンテンツ（Ｃｏｎｔｅｎｔｓ）、撮影開始日時を示すギャザリング・スタート・デートタイム（Ｇａｔｈｅｒｉｎｇ＿Ｓｔａｒｔ＿ＤａｔｅＴｉｍｅ）、撮影終了時間を示すギャザリング・エンド・デートタイム（Ｇａｔｈｅｒｉｎｇ＿Ｅｎｄ＿ＤａｔｅＴｉｍｅ）、ニュース番組のプロデューサを示すプロデューサ（Ｐｒｏｄｕｃｅｒ）、ＮＣＳ（Ｎｅｗｓｒｏｏｍ  Ｃｏｍｐｕｔｅｒ  Ｓｙｓｔｅｍ）に登録されているニュース番組項目及び番組毎に設定された識別子としてのエヌ・シー・エス・アイディー（ＮＣＳ  ＩＤ）を表すメタデータである。
したがって、本発明に係るデータ送信装置は、放送局においてニュース番組を制作する際に、画像データ及び音声データを識別するための情報、著作権に関する情報等、種々の付加情報としてのメタデータを画像データ及び音声データとともに記録媒体に記録するために撮像装置へと送信することが可能である。また、付加情報としてのメタデータが画像データ及び音声データとともに記録されることによって、撮影者や編集者が撮影及び／又は編集を行う際の負担が軽減され利便性が向上する。
さらにまた、本発明にかかるデータ受信装置は、データ送信装置から送信されるニュース番組取材に関する付加情報を受信する受信部と、受信した付加情報を記憶する記憶部とを備える。
したがって、本発明にかかるデータ受信装置は、放送局においてニュース番組を制作する際に、画像データ及び音声データを識別するための情報、著作権に関する情報等、種々の付加情報としてのメタデータを画像データ及び音声データとともに記録媒体に記録するために受信することが可能である。また、付加情報としてのメタデータが画像データ及び音声データとともに記録されることによって、撮影者や編集者が撮影及び／又は編集を行う際の負担が軽減され利便性が向上する。
さらにまた、本発明にかかるデータ送受信システムは、ニュース番組取材に関する付加情報を生成し、入力する入力部と、付加情報を無線により送信する送信部とを有するデータ送信装置と、データ送信装置から送信されるニュース番組取材に関する付加情報を受信する受信部と、受信した付加情報を記憶する記憶部とを有するデータ受信装置とを備える。
したがって、本発明にかかるデータ送受信システムは、放送局においてニュース番組を制作する際に、画像データ及び音声データを識別するための情報、著作権に関する情報等、種々の付加情報としてのメタデータを画像データ及び音声データとともに記録媒体に記録するために受信することが可能である。また、付加情報としてのメタデータが画像データ及び音声データとともに記録されることによって、撮影者や編集者が撮影及び／又は編集を行う際の負担が軽減され利便性が向上する。
さらにまた、本発明にかかる画像処理装置は、外部から送信された付加情報としてのメタデータを記憶する記憶部と、外部から送信されたメタデータとは別のメタデータを生成するメタデータ生成部と、画像データを記録媒体に記録する記録部とを有し、メタデータ記憶部からのメタデータ、及びメタデータ生成部からの別のメタデータを画像データとともに記録媒体に記録する。
別のメタデータには、撮影場所の緯度を表すギャザリング・ロケーション・ラティテュード（Ｇａｔｈｅｒｉｎｇ＿Ｌｏｃａｔｉｏｎ−Ｌａｔｉｔｕｄｅ）、撮影場所の経度を表すギャザリング・ロケーション・ロンジテュード（Ｇａｔｈｅｒｉｎｇ＿Ｌｏｃａｔｉｏｎ＿Ｌｏｎｇｉｔｕｄｅ）、撮影場所の高度を表すギャザリング・ロケーション・アルティテュード（Ｇａｔｈｅｒｉｎｇ＿Ｌｏｃａｔｉｏｎ＿Ａｌｔｉｔｕｄｅ）、撮影時の時間を表すギャザリング・ロケーション・タイム（Ｇａｔｈｅｒｉｎｇ＿Ｌｏｃａｔｉｏｎ＿Ｔｉｍｅ）、撮像装置を識別する機材ＩＤ、撮像装置の設定を示すカメラ・セットアップ・インフォメーション（Ｃａｍｅｒａ  Ｓｅｔｕｐ  Ｉｍｆｏｒｍａｔｉｏｎ）、記録媒体を識別するリール・ナンバ（Ｒｅｅｌ  Ｎｕｍｂｅｒ）、撮影に要した時間を示すデュレーション（Ｄｕｒａｔｉｏｎ）、各シーンの開始時間を表すスタート・オブ・マテリアル（Ｓｔａｒｔ  Ｏｆ  Ｍａｔｅｒｉａｌ）、取材題目を示すタイトル（Ｔｉｔｌｅ）、撮影の際、手動で入力されるマーク点を示すグッド・ショット・マーク（Ｇｏｏｄ  Ｓｈｏｔ  Ｍａｒｋ）、及びレコード・スタート・マーク（ＲＥＣ  Ｓｔａｒｔ  Ｍａｒｋ）、マイクチャンネルを示すオーディオチャンネル・インフォメーション（Ａｕｄｉｏ  Ｃｈａｎｎｅｌ  Ｉｎｆｏｒｍａｔｉｏｎ）、音声の記録がモノラルか、ステレオか、バイリンガルかを示すオーディオ・タイプ（Ａｕｄｉｏ  Ｔｙｐｅ）、素材を識別するために唯一的に決められたＩＤであるユーミッド・オーディオ（ＵＭＩＤ（Ａｕｄｉｏ））、及びユーミッド・ビデオ（ＵＭＩＤ（Ｖｉｄｅｏ））、素材データの著作権を表すコピーライト（Ｃｏｐｙｒｉｇｈｔ）を表すメタデータがある。
したがって、本発明にかかる画像処理装置によれば、メタデータ生成部においてユーザが手動で、或いは自動的に生成される付加情報を画像データ及び音声データとともに記録することによって、放送局においてニュース番組を制作する際に、画像データ及び音声データを識別するための情報、著作権に関する情報等、種々の付加情報を示すメタデータを画像データ及び音声データとともに記録媒体に記録できる。また、付加情報としてのメタデータが画像データ及び音声データとともに記録されることによって、撮影者や編集者が撮影及び／又は編集を行う際の負担が軽減され利便性が向上する。
さらにまた、本発明にかかる画像処理方法は、外部から送信されたメタデータを記憶するメタデータ記憶工程と、外部から送信されたメタデータとは別のメタデータを生成するメタデータ生成工程と、メタデータ記憶工程からのメタデータ、及びメタデータ生成手段からの別のメタデータと、画像データとを上記記録媒体に記録する記録工程と有する。
したがって、本発明にかかる画像処理方法によれば、付加情報生成工程においてユーザが手動で、或いは自動的に生成される付加情報を画像データ及び音声データとともに記録することによって、放送局においてニュース番組を制作する際に、画像データ及び音声データを識別するための情報、著作権に関する情報等、種々の付加情報を示すメタデータを画像データ及び音声データとともに記録媒体に記録できる。また、付加情報としてのメタデータが画像データ及び音声データとともに記録されることによって、撮影者や編集者が撮影及び／又は編集を行う際の負担が軽減され利便性が向上する。
さらにまた、本発明にかかる画像処理方法は、画像データと、画像データの撮影時の位置情報に関わる撮影場所の緯度を表すギャザリング・ロケーション・ラティテュード（Ｇａｔｈｅｒｉｎｇ＿Ｌｏｃａｔｉｏｎ＿Ｌａｔｉｔｕｄｅ）、撮影場所の経度を表すギャザリング・ロケーション・ロンジテュード（Ｇａｔｈｅｒｉｎｇ＿Ｌｏｃａｔｉｏｎ＿Ｌｏｎｇｉｔｕｄｅ）、撮影場所の高度を表すギャザリング・ロケーション・アルティテュード（Ｇａｔｈｅｒｉｎｇ＿Ｌｏｃａｔｉｏｎ＿Ａｌｔｉｔｕｄｅ）を表すメタデータとを入力する入力工程と、記録装置に記録されている地図のなかから、位置情報に対応する地図を検索して抽出する検索工程と、位置情報に対応する地図を画像データの所定位置に合成して表示する合成工程とを備える。
このように、画像データ及び音声データとともに、付加情報としてこれら画像データ及び音声データを識別するギャザリング・ロケーション・ラティテュードとギャザリング・ロケーション・ロンジテュード、ギャザリング・ロケーション・アルティテュード（Ｇａｔｈｅｒｉｎｇ＿Ｌｏｃａｔｉｏｎ＿Ａｌｔｉｔｕｄｅ）を表すメタデータを記録し、記録される付加情報を用いてデータベースに記録されている情報を抽出して自動的に画像データに合成することができる。
したがって、付加情報としてのメタデータを画像データ及び音声データとともに記録することによって、素材の編集を行う際に、素材データ及び素材データに対して合成する画像データを直ちに検索することが可能となる。さらに、画像データとともに入力される付加情報に基づいた他の情報を自動的に検索し、画像データに合成して表示することが可能となる。
さらにまた、本発明にかかる画像処理方法は、画像データと、画像データの撮影時の時間情報に関わる撮影時の時間を表すギャザリング・ロケーション・タイム（Ｇａｔｈｅｒｉｎｇ＿Ｌｏｃａｔｉｏｎ＿Ｔｉｍｅ）を表すメタデータとを入力する入力工程と、画像データに対応する時間情報を画像データの所定位置に合成して表示する合成工程とを備える。
したがって、付加情報としてのメタデータを画像データ及び音声データとともに記録することによって、素材の編集を行う際に、素材データ及び素材データに対して合成する画像データを直ちに検索することが可能となる。さらに、画像データとともに入力される付加情報に基づいた他の情報を自動的に検索し、画像データに合成して表示することが可能となる。
さらにまた、本発明は、画像データと、画像データの撮影に関わる取材題目を示すタイトル（Ｔｉｔｌｅ）、記事原稿に関するスクリプト（Ｓｃｒｉｐｔ）を表すメタデータとを入力する入力工程と、メタデータを画像データの所定位置に合成して表示する合成工程とを備える。
したがって、付加情報としてのメタデータを画像データ及び音声データとともに記録することによって、素材の編集を行う際に、素材データ及び素材データに対して合成する画像データを直ちに検索することが可能となる。さらに、画像データとともに入力される付加情報に基づいた他の情報を自動的に検索し、画像データに合成して表示することが可能となる。
さらにまた、本発明は、画像データと画像データに関する情報との合成画像を表示する表示部と、画像データと画像データの撮影時の位置情報に関わる撮影場所の緯度を表すギャザリング・ロケーション・ラティテュード（Ｇａｔｈｅｒｉｎｇ＿Ｌｏｃａｔｉｏｎ＿Ｌａｔｉｔｕｄｅ）、撮影場所の経度を表すギャザリング・ロケーション・ロンジテュード（Ｇａｔｈｅｒｉｎｇ＿Ｌｏｃａｔｉｏｎ＿Ｌｏｎｇｉｔｕｄｅ）、撮影場所の高度を表すギャザリング・ロケーション・アルティテュード（Ｇａｔｈｅｒｉｎｇ＿Ｌｏｃａｔｉｏｎ＿Ａｌｔｉｔｕｄｅ）、画像データの撮影に関わる取材題目を示すタイトル（Ｔｉｔｌｅ）、記事原稿に関するスクリプト（Ｓｃｒｉｐｔ）を表すメタデータとを入力する入力部と、位置情報を示すメタデータを記録する記録部と、画像データに対応するメタデータに基づいた情報を画像データの所定位置に合成して表示する合成部とを備える。
したがって、付加情報としてのメタデータを画像データ及び音声データとともに記録することによって、素材の編集を行う際に、素材データ及び素材データに対して合成する画像データを直ちに検索することが可能となる。さらに、画像データとともに入力される付加情報に基づいた他の情報を自動的に検索し、画像データに合成して表示することが可能となる。
【図面の簡単な説明】
図１は、取材計画を立てて取材を行い、取材で得た素材を編集して放送し、放送した番組を保管するまでの一連の工程を説明する説明図である。
図２は、計画工程で生成されるメタデータの具体例を示す図である。
図３は、計画工程から取材工程に移行する過程で、基地局から撮像装置に対して伝送されるメタデータの具体例を示す図である。
図４Ａは、撮影時に撮像装置において入力されるメタデータの具体例を示す図であり、図４Ｂは、素材蓄積装置に記憶される際に入力されるメタデータの具体例を示す図である。
図５Ａは、撮影時に撮像装置において入力されるメタデータの具体例を示す図であり、図５Ｂは、ＮＣＳにおいて仮編集が行われる際に入力されるメタデータの具体例を示す図である。
図６Ａは、撮影時に撮像装置において入力されるメタデータの具体例を示す図であり、図６Ｂは、本編集工程で入力及び／又は変更されるメタデータの具体例を示す図である。
図７は、自動的にＣＧ合成画面が作成される際に使用されるメタデータの具体例を示す図である。
図８は、本発明の一構成例として示す画像処理システムの具体的な構成を示すブロック図である。
図９は、本発明の一構成例として示す画像処理システムにおいて使用されるメタデータを示す図である。
図１０は、本発明の一構成例として示す画像処理システムにおいて使用されるメタデータを示す図である。
図１１は、本発明の一構成例として示す画像処理システムにおいて使用されるメタデータを示す図である。
図１２Ａは、本発明の一構成例として示す画像処理システムのデータ伝送フォーマットとして用いられるＳＤＩフォーマットを説明する模式図であり、図１２Ｂは、ＳＤＩフォーマットの１ラインを説明する模式図である。
図１３Ａは、本発明の一構成例として示す画像処理システムのデータ伝送フォーマットとして用いられるＳＤＴＩフォーマットのデータ構造を説明する模式図であり、図１３Ｂは、ＳＤＴＩフォーマットの１ラインを説明する模式図である。
図１４は、本発明の一構成例として示す画像処理システムのデータ伝送フォーマットとして用いられるＳＤＴＩ−ＣＰフォーマットを説明する模式図である。
図１５は、本発明の一構成例として示す画像処理システムのデータ伝送フォーマットとして用いられるＫＬＶフォーマットを説明する模式図である。
図１６は、本発明の一構成例として示す画像処理システムのデータ伝送フォーマットとして用いられるＵＭＩＤのフォーマットを説明する模式図である。
図１７は、本発明の一構成例として示す画像処理システムの撮像装置、基地局、データ管理装置の具体的な構成を示すブロック図である。
図１８は、本発明の一構成例として示す画像処理システムの記録再生装置の具体的な構成を示すブロック図である。
図１９は、本発明の一構成例として示す画像処理システムの素材蓄積装置の具体的な構成を示すブロック図である。
図２０は、本発明の一構成例として示す画像処理システムの編集装置の具体的な構成を示すブロック図である。
図２１は、本発明の一構成例として示す画像処理システムにおいて、データ管理装置から送信されるメタデータを撮像装置が受信するときの処理を示すフローチャートである。
図２２は、本発明の一構成例として示す画像処理システムにおいて、使用されるメタデータを説明する図である。
図２３は、本発明の一構成例として示す画像処理システムにおいて、データ管理装置が、メタデータを受信するときの処理を説明するフローチャートである。
図２４は、本発明の一構成例として示す画像処理システムにおけるデータ管理装置が、メタデータを更新するときの処理を説明するフローチャートである。
図２５は、本発明の一構成例として示す画像処理システムにおいてＣＧ合成画面を作成するためのグラフィカル・ユーザ・インターフェイスを説明する模式図である。
図２６は、本発明の一構成例として示す画像処理システムにおいて、編集装置が位置情報に基づいて地図を検索し、画像データに合成するときの処理を示すフローチャートである。
図２７は、本発明の一構成例として示す画像処理システムにおいて、編集装置が時間情報及びタイトルを表示するときの処理を示すフローチャートである。
【図１】
0004792686.tif 000002
【図２】
0004792686.tif 000003
【図３】
0004792686.tif 000004
【図４Ａ】
0004792686.tif 000005
【図４Ｂ】
0004792686.tif 000006
【図５Ａ】
0004792686.tif 000007
【図５Ｂ】
0004792686.tif 000008
【図６Ａ】
0004792686.tif 000009
【図６Ｂ】
0004792686.tif 000010
【図７】
0004792686.tif 000011
【図８】
0004792686.tif 000012
【図９】
0004792686.tif 000013
【図１０】
0004792686.tif 000014
【図１１】
0004792686.tif 000015
【図１２Ａ】
0004792686.tif 000016
【図１２Ｂ】
0004792686.tif 000017
【図１３Ａ】
0004792686.tif 000018
【図１３Ｂ】
0004792686.tif 000019
【図１４】
0004792686.tif 000020
【図１５】
0004792686.tif 000021
【図１６】
0004792686.tif 000022
【図１７】
0004792686.tif 000023
【図１８】
0004792686.tif 000024
【図１９】
0004792686.tif 000025
【図２０】
0004792686.tif 000026
【図２１】
0004792686.tif 000027
【図２２】
0004792686.tif 000028
【図２３】
0004792686.tif 000029
【図２４】
0004792686.tif 000030
【図２５】
0004792686.tif 000031
【図２６】
0004792686.tif 000032
【図２７】
0004792686.tif 000033